(57)【要約】  画像データを画像処理して適切に色再現するための画像処理システムとしての画像記録システム１において、画像処理手段としての画像処理部７０により、フィルムスキャナ部９、反射画像入力装置１０などの画像入力手段から入力された画像データやディジタルスチルカメラによって被写体を撮影して得られた画像データを画像転送装置３０を介して入力された画像データの肌色に相当する肌色領域の範囲の色相再現角を圧縮して、ＣＲＴ８、プリント作成部５、画像搬送部３１などの画像出力手段に出力する。【特許請求の範囲】
【請求項１】
画像データを画像処理する画像処理手段を備える画像処理装置において、
前記画像処理手段は、画像データの肌色に相当する肌色領域の範囲の色相再現角を圧縮することを特徴とする画像処理装置。
【請求項２】
前記画像処理手段は、前記肌色領域の範囲を、特定された目標の目標色相再現角に収束させて前記色相再現角を圧縮することを特徴とする請求の範囲第１項に記載の画像処理装置。
【請求項３】
前記画像処理手段は、画像データ生成時の照明光の色温度及び画像データの最明度に基づいて、前記肌色領域の範囲の色相再現角の圧縮の中心及び／又は圧縮量を変えることを特徴とする請求の範囲第１項又は第２項に記載の画像処理装置。
【請求項４】
前記画像処理手段は、前記肌色領域の範囲をある特定に決められた目標の目標色相再現角に収束させる場合に、前記色相再現角の圧縮の度合いを、前記目標色相再現角から離れるに従って大きくすることを特徴とする請求の範囲第１項から第３項のいずれか一項に記載の画像処理装置。
【請求項５】
前記画像処理手段は、前記色相再現角の圧縮の度合いを、彩度が高くなるに従って小さくすることを特徴とする請求の範囲第１項から第４項のいずれか一項に記載の画像処理装置。
【請求項６】
画像データを画像処理する画像処理手段を備える画像処理装置において、
前記画像処理手段は、画像データのニュートラルのコントラストを軟調にし、他の有彩色のコントラストを硬調にすることを特徴とする画像処理装置。
【請求項７】
前記画像処理手段は、前記画像データの有彩色のコントラストとニュートラルとのコントラストとの差を５％以上にすることを特徴とする請求の範囲第６項に記載の画像処理装置。
【請求項８】
前記画像処理手段は、前記画像データの明度が低くなるほど彩度を強調することを特徴とする請求の範囲第６項又は第７項に記載の画像処理装置。
【請求項９】
前記画像処理手段は、前記画像データの彩度強調の度合いを、彩度が大きくなるに従って強調することを特徴とする請求の範囲第６項から第８項のいずれか一項に記載の画像処理装置。
【請求項１０】
前記画像処理手段は、前記画像データの彩度強調の度合いを、明度変化量に従って強調することを特徴とする請求の範囲第６項から第９項のいずれか一項に記載の画像処理装置。
【請求項１１】
前記画像処理手段は、前記画像データの画像処理前よりも画像処理後の最明度の明度を低くすることを特徴とする請求の範囲第６項から第１０項のいずれか一項に記載の画像処理装置。
【請求項１２】
前記画像処理手段は、前記画像データの肌色に相当する肌色領域の範囲の色相再現角を圧縮することを特徴とする請求の範囲第６項から第１１項のいずれか一項に記載の画像処理装置。
【請求項１３】
画像処理される画像データは、撮影時のシーンリファードデータ及び／又はＲＡＷデータであることを特徴とする請求の範囲第１項から第１２項のいずれか一項に記載の画像処理装置。
【請求項１４】
画像データを画像処理する画像処理手段を備える画像処理装置において、
前記画像処理手段は、加法混色で形成される透過型フィルム及び／又はモニタ用の可視の画像データに比べて、減法混色で形成する反射型プリント用の画像データの最明度を低くすることを特徴とする画像処理装置。
【請求項１５】
前記画像処理手段は、画像処理を施した画像データを、画像出力手段の特性に基づいて出力カラー画像信号に変換することを特徴とする請求の範囲第１項から第１４項のいずれか一項に記載の画像処理装置。
【請求項１６】
前記画像処理手段は、
前記画像データの入力カラー画像信号を画像入力手段の特性に基づいて標準色空間に置ける信号に変換する第１の変換手段と、前記標準色空間に置ける信号を画像出力手段の特性に基づいて変換する第２の変換手段と、第２の変換手段によって変換された標準色空間に置ける信号を出力カラー画像信号に変換する第3の変換手段とを備えることを特徴とする請求の範囲第１項から第１５項のいずれか一項に記載の画像処理装置。
【請求項１７】
前記画像処理手段は、前記画像データの出力形式における色再現範囲に基づき、画像処理前の画像データの色域より広い色域を用いて彩度変化の飽和が生じない画像処理を行うことを特徴とする請求の範囲第１項から第１６項のいずれか一項に記載の画像処理装置。
【請求項１８】
前記画像処理手段は、画像入力手段のプロファイルを保持した画像データを画像処理することを特徴とする請求の範囲第１項から第１７項のいずれか一項に記載の画像処理装置。
【請求項１９】
前記画像処理手段は、ハロゲン化銀塩の媒体出力用の画像データに画像処理することを特徴とする請求の範囲第１項から第１８項のいずれか一項に記載の画像処理装置。
【請求項２０】
前記画像処理手段は、静物の画像データに比べて、人物の画像データの肌色領域での色相再現角の圧縮を大きくすることを特徴とする請求の範囲第１項から第１９項のいずれか一項に記載の画像処理装置。
【請求項２１】
前記画像処理手段は、前記画像データのシーン判別及び／又は顔抽出を行い、その結果に基づいて画像処理の変換条件を変えることを特徴とする請求の範囲第１項から第２０項のいずれか一項に記載の画像処理装置。
【請求項２２】
被写体を撮影して画像データを生成する撮影手段と、
請求の範囲第１項から第２１項のいずれか一項に記載の画像処理装置とを備え、
前記画像処理手段は、前記撮影手段により生成された画像データを画像処理することを特徴とする撮影装置。
【請求項２３】
画像データを入力する画像入力手段と、
画像データを出力する画像出力手段と、
請求の範囲第１項から第２１項のいずれか一項に記載の画像処理装置とを備え、
前記画像処理手段は、前記画像入力手段から入力された画像データを画像処理して前記画像出力手段に出力することを特徴とする画像処理システム。
【請求項２４】
画像データを画像処理する画像処理方法において、
画像データの肌色に相当する肌色領域の範囲の色相再現角を圧縮する画像処理工程を含むことを特徴とする画像処理方法。
【請求項２５】
前記画像処理工程において、前記肌色領域の範囲を、特定された目標の目標色相再現角に収束させて前記色相再現角を圧縮することを特徴とする請求の範囲第２４項に記載の画像処理方法。
【請求項２６】
前記画像処理工程において、色温度及び最明度に基づいて、前記肌色領域の範囲の色相再現角の圧縮の中心及び／又は圧縮量を変えることを特徴とする請求の範囲第２４項又は第２５項に記載の画像処理方法。
【請求項２７】
前記画像処理工程において、前記肌色領域の範囲をある特定に決められた目標の目標色相再現角に収束させる場合に、前記色相再現角の圧縮の度合いを、前記目標色相再現角から離れるに従って大きくすることを特徴とする請求の範囲第２４項から第２６項のいずれか一項に記載の画像処理方法。
【請求項２８】
前記画像処理工程において、前記色相再現角の圧縮の度合いを、彩度が高くなるに従って小さくすることを特徴とする請求の範囲第２４項から第２７項のいずれか一項に記載の画像処理方法。
【請求項２９】
画像データを画像処理する画像処理方法において、
画像データのニュートラルのコントラストを軟調にし、他の有彩色のコントラストを硬調にする画像処理工程を含むことを特徴とする画像処理方法。
【請求項３０】
前記画像処理工程において、前記画像データの有彩色のコントラストとニュートラルとのコントラストとの差を５％以上にすることを特徴とする請求の範囲第２９項に記載の画像処理方法。
【請求項３１】
前記画像処理工程において、前記画像データの明度が低くなるほど彩度を強調することを特徴とする請求の範囲第２９項又は第３０項に記載の画像処理方法。
【請求項３２】
前記画像処理工程において、前記画像データの彩度強調の度合いを、彩度が大きくなるに従って強調することを特徴とする請求の範囲第２９項から第３１項のいずれか一項に記載の画像処理方法。
【請求項３３】
前記画像処理工程において、前記画像データの彩度強調の度合いを、明度変化量に従って強調することを特徴とする請求の範囲第２９項から第３２項のいずれか一項に記載の画像処理方法。
【請求項３４】
前記画像処理工程において、前記画像データの画像処理前よりも画像処理後の最明度の明度を低くすることを特徴とする請求の範囲第２９項から第３３項のいずれか一項に記載の画像処理方法。
【請求項３５】
前記画像処理工程において、前記画像データの肌色に相当する肌色領域の範囲の色相再現角を圧縮することを特徴とする請求の範囲第２９項から第３４項のいずれか一項に記載の画像処理方法。
【請求項３６】
画像処理される画像データは、撮影時のシーンリファードデータ及び／又はＲＡＷデータであることを特徴とする請求の範囲第２４項から第３５項のいずれか一項に記載の画像処理方法。
【請求項３７】
画像データを画像処理する画像処理方法において、
加法混色で形成される透過型フィルム及び／又はモニタ用の可視の画像データに比べて、減法混色で形成する反射型プリント用の画像データの最明度を低くする画像処理工程を含むことを特徴とする画像処理方法。
【請求項３８】
前記画像処理工程において、画像処理を施した画像データを、画像出力手段の特性に基づいて出力カラー画像信号に変換することを特徴とする請求の範囲第２４項から第３７項のいずれか一項に記載の画像処理方法。
【請求項３９】
前記画像処理工程は、
前記画像データの入力カラー画像信号を画像入力手段の特性に基づいて標準色空間に置ける信号に変換する第１の変換工程と、前記標準色空間に置ける信号を画像出力手段の特性に基づいて出力カラー画像信号に変換する第２の変換工程と、を含む前記標準色空間の第３の変換工程を含むことを特徴とする請求の範囲第２４項から第３８項のいずれか一項に記載の画像処理方法。
【請求項４０】
前記画像処理工程において、前記画像データの出力形式における色再現範囲に基づき、画像処理前の画像データの色域より広い色域を用いて彩度変化の飽和が生じない画像処理を行うことを特徴とする請求の範囲第２４項から第３９項のいずれか一項に記載の画像処理方法。
【請求項４１】
前記画像処理工程において、画像入力手段のプロファイルを保持した画像データを画像処理することを特徴とする請求の範囲第２４項から第４０項のいずれか一項に記載の画像処理方法。
【請求項４２】
前記画像処理工程において、ハロゲン化銀塩の媒体出力用の画像データに画像処理することを特徴とする請求の範囲第２４項から第４１項のいずれか一項に記載の画像処理方法。
【請求項４３】
前記画像処理工程において、静物の画像データに比べて、人物の画像データの肌色領域での色相再現角の圧縮を大きくすることを特徴とする請求の範囲第２４項から第４２項のいずれか一項に記載の画像処理方法。
【請求項４４】
前記画像処理工程において、前記画像データのシーン判別及び／又は顔抽出を行い、その結果に基づいて画像処理の変換条件を変えることを特徴とする請求の範囲第２４項から第４３項のいずれか一項に記載の画像処理方法。
【請求項４５】
コンピュータに、
画像データの肌色に相当する肌色領域の範囲の色相再現角を圧縮する画像処理機能、
を実現させるためのプログラム。
【請求項４６】
前記画像処理機能は、前記肌色領域の範囲を、特定された目標の目標色相再現角に収束させて前記色相再現角を圧縮することを特徴とする請求の範囲第４５項に記載のプログラム。
【請求項４７】
前記画像処理機能は、色温度及び最明度に基づいて、前記肌色領域の範囲の色相再現角の圧縮の中心及び／又は圧縮量を変えることを特徴とする請求の範囲第４５項又は第４６項に記載のプログラム。
【請求項４８】
前記画像処理機能は、前記肌色領域の範囲をある特定に決められた目標の目標色相再現角に収束させる場合に、前記色相再現角の圧縮の度合いを、前記目標色相再現角から離れるに従って大きくすることを特徴とする請求の範囲第４５項から第４７項のいずれか一項に記載のプログラム。
【請求項４９】
前記画像処理機能は、前記色相再現角の圧縮の度合いを、彩度が高くなるに従って小さくすることを特徴とする請求の範囲第４５項から第４８項のいずれか一項に記載のプログラム。
【請求項５０】
コンピュータに、
画像データのニュートラルのコントラストを軟調にし、他の有彩色のコントラストを硬調にする画像処理機能、
を実現させるためのプログラム。
【請求項５１】
前記画像処理機能は、前記画像データの有彩色のコントラストとニュートラルとのコントラストとの差を５％以上にすることを特徴とする請求の範囲第５０項に記載のプログラム。
【請求項５２】
前記画像処理機能は、前記画像データの明度が低くなるほど彩度を強調することを特徴とする請求の範囲第５０項又は第５１項に記載のプログラム。
【請求項５３】
前記画像処理機能は、前記画像データの彩度強調の度合いを、彩度が大きくなるに従って強調することを特徴とする請求の範囲第５０項から第５２項のいずれか一項に記載のプログラム。
【請求項５４】
前記画像処理機能は、前記画像データの彩度強調の度合いを、明度変化量に従って強調することを特徴とする請求の範囲第５０項から第５３項のいずれか一項に記載のプログラム。
【請求項５５】
前記画像処理機能は、前記画像データの画像処理前よりも画像処理後の最明度の明度を低くすることを特徴とする請求の範囲第５０項から第５４項のいずれか一項に記載のプログラム。
【請求項５６】
前記画像処理機能は、前記画像データの肌色に相当する肌色領域の範囲の色相再現角を圧縮することを特徴とする請求の範囲第５０項から第５５項のいずれか一項に記載のプログラム。
【請求項５７】
画像処理される画像データは、撮影時のシーンリファードデータ及び／又はＲＡＷデータであることを特徴とする請求の範囲第４５項から第５６項のいずれか一項に記載のプログラム。
【請求項５８】
コンピュータに、
加法混色で形成される透過型フィルム及び／又はモニタ用の可視の画像データに比べて、減法混色で形成する反射型プリント用の画像データの最明度を低くする画像処理機能、
を実現させるためのプログラム。
【請求項５９】
前記画像処理機能は、画像処理を施した画像データを、画像出力手段の特性に基づいて出力カラー画像信号に変換することを特徴とする請求の範囲第４５項から第５８項のいずれか一項に記載のプログラム。
【請求項６０】
前記画像処理機能は、
前記画像データの入力カラー画像信号を画像入力手段の特性に基づいて標準色空間に置ける信号に変換する第１の変換工程と、前記標準色空間に置ける信号を画像出力手段の特性に基づいて出力カラー画像信号に変換する第２の変換工程と、を含む前記標準色空間の第３の変換機能を含むことを特徴とする請求の範囲第４５項から第５９項のいずれか一項に記載のプログラム。
【請求項６１】
前記画像処理機能は、前記画像データの出力形式における色再現範囲に基づき、画像処理前の画像データの色域より広い色域を用いて彩度変化の飽和が生じない画像処理を行うことを特徴とする請求の範囲第４５項から第６０項のいずれか一項に記載のプログラム。
【請求項６２】
前記画像処理機能は、画像入力手段のプロファイルを保持した画像データを画像処理することを特徴とする請求の範囲第４５項から第６１項のいずれか一項に記載のプログラム。
【請求項６３】
前記画像処理機能は、ハロゲン化銀塩の媒体出力用の画像データに画像処理することを特徴とする請求の範囲第４５項から第６２項のいずれか一項に記載のプログラム。
【請求項６４】
前記画像処理機能は、静物の画像データに比べて、人物の画像データの肌色領域での色相再現角の圧縮を大きくすることを特徴とする請求の範囲第４５項から第６３項のいずれか一項に記載のプログラム。
【請求項６５】
前記画像処理機能は、前記画像データのシーン判別及び／又は顔抽出を行い、その結果に基づいて画像処理の変換条件を変えることを特徴とする請求の範囲第４５項から第６４項のいずれか一項に記載のプログラム。
【発明の詳細な説明】
【技術分野】
【０００１】
本発明は、画像処理装置、撮影装置、画像処理システム、画像処理方法及びプログラムに関する。
【背景技術】
【０００２】
デジタル写真の開発に際しては、撮影画像をきちんと再現する為に測色再現を基本とし、そこから好ましい画像になるようにコントラストと明度、そして彩度強調を行い好ましいデジタル画像になるように画像処理をしている。測色再現を基本としたデジタル画像は色相再現を含めた色再現性が高く一般には風景や静物の画像では見た目に鮮やかな仕上がりであると認識され市場での普及が広まっている。【０００３】
一方、最近急に発展してきているデジタル写真のほかに、古くからハロゲン化銀を用いた感光材料として、アナログ写真の記録材料と言われている物にネガフィルム、ポジのリバーサルフィルムや印画紙等の感光材料がある。アナログ記録材料の開発に際しては写真画像の立体感、発色を実現するために、有彩色光によって感光材料が露光された場合には、無彩色の白色光によって露光された場合よりも他色感光層からのインターイメージ効果といわれている現像抑制効果が少なく、結果として無彩色に近い色の被写体に相当する領域の彩度に対して、有彩色の被写体に相当する領域の彩度がより高く、かつコントラストが高く再現されるように感光層を設計することが知られている。また、分光感度も広く正確な色相再現はしにくいことが知られている。【０００４】
しかし、被写体として人物を含む画像について考えると、人間は人物の肌色に対し非常に高い弁別性を持ち、かつ期待値が明確に存在するのに対しデジタルで撮影されるような基本測色再現では問題のあることが判明してきた。例えば、人物画像の撮影でよく行われる、子供写真、婚礼写真、および証明写真のような画像（一般にポートレート写真）では、撮影の際に実際はストロボを焚き、それを主光源とするが、実際には撮影する際の環境光源が当然ストロボ光が回りきらない陰周りになるにつれて影響し他の光源色により色相のずれが起こりやすくなるのと、かつ拡散させているとはいえ直線的に進むストロボ光源では陰を作りやすく、定常光での実際に撮影される人物の想像している画像よりも彩度が低く人物撮影には不適切で見るに耐えないことが判明した。【０００５】
また、人間の目には有彩色と無彩色が同じ再現性、つまり同じコントラストを持つと平面的に感じてしまい立体感が無く非常に劣る写真になってしまうことがわかってきた。このように、デジタル画像の品質に関しては、測色再現と高品質な画像再現は相反する関係にある。【０００６】
また、特定の肌色領域の彩度処理、色相処理などの画像処理を行うのは好ましくないとして、肌色領域以外の部分のデータについて画像変換を行う画像処理が開示されている（例えば、特許文献１参照）。【０００７】
また、記憶色を銀塩調にすることを目的として、入力機器のプロファイル及び出力目標フィルムのプロファイルを保持し、それらのプロファイルに基づき、入力画像データの色再現性を出力目標フィルムの色再現性に近づけるためのテーブルを作成し画像データに対してコントラスト、ハイライトの色補正を行うことが提案されている（例えば、特許文献２参照）。
【特許文献１】特開２００２−３３９３４号公報
【特許文献２】特開２０００−５００９７号公報  しかし、特許文献１に記載の構成のように、肌色領域以外の部分のデータについて画像変換を行う構成では、ポートレート写真としては不充分な品質であり改良が望まれている。
【０００８】
また、出力においては、デジタルの普及に伴い、コンピュータによりモニタ上で表現される色を実際に色材を用いて再現する色再現技術が重要である。例えばＤＴＰであれば、カラーモニタ上でカラー画像の作成、編集および加工などを行い、その画像をカラープリンタで出力する。このため、カラーモニタに表示される画像（以下「モニタ画像」と呼ぶ）の色と、プリント出力される画像（以下「プリント画像」と呼ぶ）の色とが知覚的に一致していることが強く望まれている。【０００９】
デジタル画像が表示されるカラーモニタは、例えば蛍光体が発する特定波長の光を用いてカラー画像を表現するという加法混色による。他方、デジタル画像を出力したときは、これらの出力物は特定波長の光を吸収し、残る反射光によってカラー画像を表現する減法混色によるものである。このように色の表現形態が異なるため、両者を比較するとその色再現域は大きく異なり、特に明度の低い領域と高い領域での再現が異なり問題となっているのである。【００１０】
さらに、同じカラーモニタであっても、液晶パネルを使用するもの、電子銃方式のブラウン管を使用するもの、プラズマパネルを使用するものではその色再現域が異なる。カラープリンタにあっても、カラープリンタとして、アナログの感光材料であるカラーペーパーへ出力できるレーザプリンタや、インクなどを用いて出力するインクジェットプリンターなどがあるが、色材の吸収の相違などにより色再現域は異なる。このため、モニタ画像とプリント画像と、あるいは、複数種の機種または複数種の紙に出力されたプリント画像において、これらの画像の色を測色的な意味において完全に一致させることは不可能であり、しかも今までのアナログでの入力から出力までが減法混色によって再現されてきた純アナログ写真と比べ同等の立体感かつ重厚感がなく不充分である。【００１１】
また、モニタ画像およびプリント画像の知覚的な色の一致を図ろうとすると困難が伴う。この困難は以下の理由による。これら色再現域の異なる出力媒体間において、知覚上の色の相違を吸収し、形成される画像の色の知覚的な一致を図る技術として、均等表色系を用いて、ある色再現域を別の色再現域内へ写像するガマットマッピングが存在する。ガマットマッピングは、均等表色系において、例えば、各色相毎に明度‐彩度次元における線形写像を行うものである。しかし、上記の画像処理を行ったデジタル画像でも、ガマットマッピングによりモニタの色再現域からプリンタの色再現域に写像された色再現域は、プリンタの色再現域に比べて狭い。従って、ガマットマッピングにより補正されて出力される画像は、コントラストが低く、鮮やかさに欠け、やはりアナログ写真と比べ重厚感が無く問題になってきている。【００１２】
さらに、特許文献２に記載の構成のように、入力機器のプロファイル及び出力目標フィルムのプロファイルに基づいて画像データを色補正する構成では、実際には透過／出力での人間の視感度のコントラストは、反射出力物ではハイライトは非常に硬調に感じられるので、透過型のポジフィルム用出力またはＣＲＴ出力用の画像データと、反射型のカラーペーパー等に出力するための画像データとでハイライトのコントラスト、明度を変えなければ最適な銀塩調に観察されず見るに耐えないということがわかってきた。【００１３】
このようにポートレート写真のデジタル画像は公知の画像処理技術では、アナログ写真に比べ、色相が変動しやすく、彩度が地味で、肌色も期待色が安定に出にくく、かつ仕上がった写真が平面的で写真市場はもちろんながら、映像市場では役立つ物ではなかった。【００１４】
また、公知のガマットマッピングにより補正されてプリント出力される画像では、一般に、アナログと同等の立体感、重厚感を併せ持つプリントを出力することができず、かつ前記画像処理を施したデジタル画像を生かし切れず市場の要求に耐える物ではない。
【発明の開示】
【００１５】
本発明は、上述の問題を解決するためのものであり、画像データを画像処理して適切な色再現にすることを目的とする。
【００１６】
具体的には、ポートレート写真で撮影したときに肌色の色相のずれが起こりにくく、また期待色も安定に再現し、さらには陰周りの彩度が高くきれいで、立体感を付与することができ、さらにはこのように処理した高品質の画像を最適に出力し、今までのアナログ写真同様の立体感と重厚感も併せ持つ出力画像を得ることが可能な画像データに変換することを目的とする。また、透過型のポジフィルム用出力またはＣＲＴ出力用の画像データと、反射型のカラーペーパー等に出力しても問題のない最適な画像データを生成することを目的とする。
【００１７】
上記目的を達成するための、本発明の一つの態様は、画像データを画像処理する画像処理手段を備える画像処理装置において、前記画像処理手段は、画像データの肌色に相当する肌色領域の範囲の色相再現角を圧縮することを特徴とするものである。
【図面の簡単な説明】
【００１８】
【図１】本発明に係る第１の実施の形態の画像記録装置１の外観図である。
【図２】画像記録装置１の概略構成を示す図である。
【図３】画像処理部７０の概略構成を示す図である。
【図４】色再現変換部７ｂの概略構成を示す図である。
【図５】画像調整処理を示すフローチャートである。
【図６】線形の色相圧縮の一例を示すグラフである。
【図７】非線形の色相圧縮の一例を示すグラフである。
【図８】変換前に対する変換後の無彩色と有彩色とのコントラスト（bit）の関係の一例を示すグラフである。
【図９】変換前に対する変換後の無彩色と有彩色とのコントラスト（明度）の関係の一例を示すグラフである。
【図１０】彩度変換の一例を示すグラフである。
【図１１】明度カーブ（コントラスト）の一例を示すグラフである。
【図１２】ガマットマッピングの比較例を示すグラフである。
【図１３】ガマットマッピングの実施例を示すグラフである。
【図１４】本発明に係る第２の実施の形態のデジタルカメラ１αの内部構成を示す図である。
【図１５】本発明に係る第３の実施の形態の画像処理システム２αの内部構成を示す。
【図１６】画像処理を示すフローチャートである。
【発明を実施するための最良の形態】
【００１９】
上記の課題は以下の構成により達成される。
（１）  画像データを画像処理する画像処理手段を備える画像処理装置において、
前記画像処理手段は、画像データの肌色に相当する肌色領域の範囲の色相再現角を圧縮することを特徴とする。【００２０】
なお、画像処理される画像データは、例えばデジタルスチルカメラによって被写体を撮像することで得られた画像データであってもよいし、コンピュータで生成された画像データであってもよいし、または３Ｄ立体画像を各オブジェクトで作成した後に２次元平面画像にレンダリングしてモーションピクチャーを生成する際の各フレームごとの画像データであって、それを所定量変換した後にモーションピクチャーに連結して動画を作成してもよい。さらには画像が記録された写真フィルムに光を照射し、透過光を光電変換手段によって電気信号に変換することで得られた画像データであってもよい。また、画像処理後の画像データの出力形式としては、例えば印画紙等の記録材料への記録、ディスプレイ等の表示装置への表示等が挙げられる。【００２１】
また、色相再現は、例えば、画像データ上での色値、または同等の任意の表色系を用いて色を表した値と、該画像データを用いて可視画像を出力したときの可視画像上での色値と、の関係を求めておき、原画像データ上での色値を前記関係に基づき可視画像上での色値に変換し、変換後の可視画像上での色値に対して色相を所定量変化させ、変化させた後の色値を前記関係に基づき画像データ上での色値に逆変換することで、色相が所定量変化した可視画像に対応する画像データ上での色値を求め、該画像データ上での色値と前記原画像データ上での色値との関係に基づいて求めることができる。【００２２】
また、画像処理は、例えば、変換データを用いて行うこととしてもよい。例えば、記憶手段に記憶する変換データとして、例えば可視画像上での色相が変化するように画像データ上での色値を変更したときの、色相変更後の色値を変更前の色値と対応付けるデータを用いることとしてもよい。例えば色値そのものを変換データとして記憶するようにしてもよいし、変換特性を表す関数等を変換データとして記憶するようにしてもよい。【００２３】
また、肌色領域としては、可視画像上で肌色が表現されており、色相再現角が圧縮されることで可視画像の画質の向上が図られる色領域であり、好ましくは色相角Ｈ*が0〜90度、特に好ましくは色相角Ｈ*が30〜70度の範囲が好ましい。可視画像上での人物の肌に相当する部分の色相を圧縮することで、環境光での色相変化を抑制することができ、可視画像の色相が変化することに伴う部分的な画質低下を効果的に抑制することができる。【００２４】
所定の色領域は、例えば可視画像上で色相角が所定範囲内となる領域として規定することができる。色相角Ｈ*は、可視画像上での色をＣＩＥ（Commission Internationale del'Eclairage：国際照明委員会）が均等知覚色空間として推奨した表色系Ｌ*ａ*ｂ*で表したときに、下記の（１）式で定義される。Ｈ*＝tan-1(ｂ*/ａ*)・180/π    …（１）
（２）  上記（１）項に記載の画像処理装置において、
前記画像処理手段は、前記肌色領域の範囲を、特定された目標の目標色相再現角に収束させて前記色相再現角を圧縮することを特徴とする。【００２５】
目標色相再現角としては、例えば50度近辺とすることで一般的な好ましい色相圧縮による肌色の色相ずれが抑制できるし、さらに50度から負の方向、色相的には＋マゼンタなどに設定することで日本人にとって好ましい色や、50度から正の方向、色相的には＋イエローなどに設定することで欧米人にとって好ましい色等の設定が簡易に出きかつ安定した仕上がりを得ることができる。
（３）  上記（１）項又は（２）項に記載の画像処理装置において、
前記画像処理手段は、画像データ生成時の照明光の色温度及び最明度に基づいて、前記肌色領域の範囲の色相再現角の圧縮の中心及び／又は圧縮量を変えることを特徴とする。【００２６】
色温度、最明度（ホワイトポイント）などのカラーバランスが異なる場合には、それらの条件に従い、肌色領域の色相圧縮の中心及び／又は圧縮量を変えて処理することで、日本人にとって好ましい色温度やブルー系、Cool調でのポートレート画像〜イエロ系、warm調での欧米人にとって好ましい色とされる画像でも色相安定するという本発明の効果を最大限に発揮でき好ましい。
（４）  上記（１）から（３）のいずれか一項に記載の画像処理装置において、
前記画像処理手段は、前記肌色領域の範囲をある特定に決められた目標の目標色相再現角に収束させる場合に、前記色相再現角の圧縮の度合いを、前記目標色相再現角から離れるに従って大きくすることを特徴とする。【００２７】
肌色領域の範囲を目標色相再現角に収束させる場合に、色相再現角の圧縮の程度を、目標色相再現角から離れるに従って大きくすることで、肌色の色相変化を抑制しつつ、肌色の圧縮の際にトーンジャンプが起こりにくく好ましい。さらに好ましくは目標角からの角度差分で圧縮量が増大していくとか、Ｓ字カーブで（３次曲線）で増加していくのが好ましい。
（５）  上記（１）から（４）のいずれか一項に記載の画像処理装置において、
前記画像処理手段は、前記色相再現角の圧縮の度合いを、彩度が高くなるに従って小さくすることを特徴とする。【００２８】
色相再現角の圧縮の度合いを彩度が高くなるに従って小さくすることで、肌色以外の赤色の再現が破綻せず、劣化が少なく好ましい。さらに好ましくは彩度Ｃ*＝0〜30をメインの範囲として、変化量が減少していくとか、Ｓ字カーブで（３次曲線）で減少していくのが好ましい。彩度Ｃ*は、可視画像上での色をＣＩＥが均等知覚色空間として推奨した表色系Ｌ*ａ*ｂ*で表したときに、次式（２）で定義される。Ｃ*＝ (ａ*2＋ｂ*2)1/2  …（２）
所定の色領域を肌色領域の範囲とすることにより、可視画像上での人物の肌に相当する部分の色相を圧縮することで、環境光での色相変化を抑制することができ、可視画像の色相が変化することに伴う部分的な画質低下を効果的に抑制し、問題のない画像を得ることができる。【００２９】
カメラなどのコントラストの測定方法としては、例えばニュートラルはグレーチャートを撮影し、有彩色はマンセルチャートの５Ｒ〜５ＹＲの色相範囲を撮影し測定することができる。変換方法としては、画像データを作成して画像処理を行い、その画像データを測定しその色値から測定することができる。
（６）  画像データを画像処理する画像処理手段を備える画像処理装置において、
前記画像処理手段は、画像データのニュートラルのコントラストを軟調にし、他の有彩色のコントラストを硬調にすることを特徴とする。【００３０】
有彩色を、彩度Ｃ*が１５以上、好ましくは１０以上の色の範囲とし、ニュートラルを、彩度が１５以下、好ましくは１０以下の色の範囲とすれば、画像処理のシャドーバランスの色ずれとノイズがすくなくなり好ましい。【００３１】
画像処理後で有彩色のコントラストを硬調にし、ニュートラルのコントラストを軟調にすることでポートレートに好ましい錯視による立体感をえるという画質向上の効果を得ることができる。コントラストは、例えば、Ｌ*２５〜７０で表され、ＲＧＢ信号値で見る時には、６０〜１７０ｂｉｔで定義される。また、画像処理前に対し画像処理後で有彩色のコントラストを１．０３以上、ニュートラルを０．９７とすることが好ましい。
（７）  上記（６）項に記載の画像処理装置において、
前記画像処理手段は、前記画像データの有彩色のコントラストとニュートラルとのコントラストとの差を５％以上にすることを特徴とする。【００３２】
有彩色とニュートラルとのコントラスト差：（有彩色−ニュートラル）／（ニュートラル）が５％以上の差とすることで、立体感が明確に向上し好ましい。特に、有彩色とニュートラルとのコントラスト差は１０％以上とすることで、立体感とハイライトのニュートラルの描写とから好ましい。さらに、有彩色のコントラストカーブがＳ字形状が特に輪郭部の立体感を得やすく好ましく、特には変曲点が低明度２０≦Ｌ*≦７０で低明度側が凹状、高明度側が凸であるＳ字状コントラスト変換がトーンジャンプも起きにくく好ましい。さらに、画像データがポートレート（人物撮影）の場合、有彩色して肌色領域の範囲について彩度調整を行うのが好ましい。【００３３】
カメラなどのコントラストの測定方法としては、例えばニュートラルでグレーチャートを撮影し、有彩色でマンセルチャート等を撮影し測定することができるし、画像データの画像処理前と画像処理後とでの相関関係からその程度を算出することができる。
（８）  上記（６）項または（７）項に記載の画像処理装置において、
前記画像処理手段は、前記画像データの明度が低くなるほど彩度を強調することを特徴とする。【００３４】
明度が低くなるほど彩度が強調されると、特定の色領域に属する画素に対しては可視画像上での彩度変化をさせる。特定の色領域としては、可視画像上での色値で区別され、明度で定義される明度領域ごとに、画像処理前に対して画像処理後の彩度調整を行うことで、環境光の彩度変化を抑制して立体感の向上が図られる。さらにはＬ*７０以上の彩度再現の傾きを０．６〜１にすることで、肌色領域のつながりが滑らかでトーンジャンプが起きにくく好ましい。また、Ｌ*５０以下の彩度再現の傾きを１以上にすることで、顔の陰周りで彩度低下が起きにくくポートレート写真として好ましい。特には、Ｌ*９０、８０，７０，６０〜３０と明度が低下するにつれて彩度再現の傾きを徐々に大きすることで、顔の陰周りでの彩度低下が滑らかに抑制でき、かつ立体感が優れて好ましい。
（９）  上記（６）から（８）のいずれか一項に記載の画像処理装置において、
前記画像処理手段は、前記画像データの彩度強調の度合いを、彩度が大きくなるに従って強調することを特徴とする。【００３５】
彩度強調の度合いが、彩度が大きくなるに従って強調されることで、背景の画像描写でトーンジャンプが無く、かつポートレートとして顔の立体感のある好ましい画像向上ができる。さらには、Ｃ*１５以下の部分では傾きが０．６〜１．４で、Ｃ*１５以上では、Ｌ*５０、６０、７０，８０の傾きが徐々に小さくなり、彩度再現ラインが交わらないのが背景等でよく使われる無彩色でトーンジャンプがなく画像劣化を抑止するために好ましい。
（１０）  上記（６）から（９）のいずれか一項に記載の画像処理装置において、
前記画像処理手段は、前記画像データの彩度強調の度合いを、明度変化量に従って強調することを特徴とする。【００３６】
彩度強調の度合いが明度変化量に従って強調することで、トーンジャンプが起きにくく彩度低下を抑制でき好ましいポートレート写真としての画質向上ができる。特にはＬ*の変化量と一次比例して彩度再現を強調することで顔の陰周りでの彩度低下が滑らかに抑制でき、かつ立体感が優れて好ましい。測定方法としては、例えばニュートラルはグレーチャートを撮影し、有色はマンセルチャートを撮影し測定することができる。また、画像データを作成して画像処理を行い、その画像データを測定しその色値から測定することができる。
（１１）  上記（６）から（１０）のいずれか一項に記載の画像処理装置において、
前記画像処理手段は、前記画像データの画像処理前よりも画像処理後の最明度の明度を低くすることを特徴とする。【００３７】
画像処理前に対し、画像処理後で最明度の明度を低くすることで、ハイライトでの立体感の向上を得やすくなり好ましい。特に好ましくは最明度のＬ*で３以上低下させて請求の範囲第６項から第１０項のいずれか一項の本発明を組み合わせることで自然な仕上がりとなり好ましい。
（１２）  上記（６）から（１１）のいずれか一項に記載の画像処理装置において、
前記画像処理手段は、前記画像データの肌色に相当する肌色領域の範囲の色相再現角を圧縮することを特徴とする。【００３８】
肌色領域の範囲の色相再現角を圧縮することで、肌色の色相変動が起きにくく、かつ陰周りでの彩度低下の抑制と立体感の向上が合わせてでき特に優れた画質向上ができ好ましい。【００３９】
これにより、可視画像上での色相を所定量圧縮変化させることに伴う部分的な画質低下を防止するために、例えば複数の色領域の何れかに属する画素に対して各々可視画像上での彩度変化が適切に処理されるように変換特性を定めることで、（６）項に記載したように、可視画像上の複数の色領域の何れかに相当する部分の色相やコントラスト変化を各々抑制したり、（８）項に記載したように、所定の色領域内に位置する画素に対する可視画像上での彩度変化の抑制度合いを所定の明度領域に従って変換特性を定めることで、可視画像上の所定の色領域に相当する部分の仕上がりをさらに好ましくすることが可能となる。
（１３）  上記（１）から（１２）のいずれか一項に記載の画像処理装置において、
画像処理される画像データは、撮影時のシーンリファードデータ及び／又はＲＡＷデータであることを特徴とする。【００４０】
画像処理される画像データが、撮影時のシーンリファードデータ及び／又はＲＡＷデータであるのでで、画像処理でのノイズの発生が起きにくくなり、かつ本発明の各種効果が得られ好ましい。処理するプロセスとしては特に限定されないが、デジタルカメラのＡＤ変換後の画像データに行う、もしくは撮影後にＡＤ変換した際のＲＡＷ画像データに行うのが好ましく、画像撮影の際にアプリケーションで可視、確認された後に本発明の画像処理を合わせてするのが失敗がなく好ましい。ここでいう画像データとはデジタルカメラのＣＣＤ画像データであり、ＲＧＧＢのＲＡＷ画像、またはそれに他の処理、シャープネス、モアレ、階調圧縮等を施した後の画像データや実際にtiff/bmp/jpeg/mpeg等の現在公知である可視画像に変換するデータ現像する直前の画像データも含むことができる。【００４１】
さらに、画像データのＤＳＣ等の画像入力手段のプロファイルを保持し、これら入力プロファイルに基づいた変換式を作成して画像処理を行うことで、各画像での色域情報を活かしつつ、カラーマネージメントができ好ましい。さらに好ましくは、ＰＣＳ（Profile Conection Space）としては色温度Ｄ５０でプロファイルを保持して画像変換するのが安定にプリントできシステムとしては好ましい。またプロファイルとしては、デジタル画像等の入力画像はColor Space Conversion ICCプロファイル等を用いることができる。特に好ましくは出力目標としてデバイスリンクプロファイルを用いて画像変換を入力に組み合わせて画像処理をすることが変換時の画像劣化を抑える点からも好ましい。
（１４）  画像データを画像処理する画像処理手段を備える画像処理装置において、
前記画像処理手段は、加法混色で形成される透過型フィルム及び／又はモニタ用の可視の画像データに比べて、減法混色で形成する反射型プリント用の画像データの最明度を低くすることを特徴とする。【００４２】
記録された画像データを処理する場合において、加法混色で形成される透過型フィルム及び／又はモニタ用の可視の画像データに比べて、減法混色で形成する反射型プリント用の画像データの最明度を低くすることで、加法混色で形成される透過型フィルム及び／又はモニタ用の可視の画像データと、減法混色で形成する反射型プリント用の画像データとを対応させてかつ適切な色再現にすることができる。【００４３】
さらに好ましくは、反射型プリントに用いる画像データのハイライトのγが＋３％以上軟調とか、最明度がＬ*で３〜１０以上低いのが、画像データでかぶりが少なくかつ反射物で好ましいプリントが得られる。またハイライト又は最明度点のカラーバランスが反射の画像データの方が＋マゼンタにすることができるようにすることで、日本、アジアなどでの好ましい色再現にすることができる。
（１５）  上記（１）から（１４）のいずれか一項に記載の画像処理装置において、
前記画像処理手段は、画像処理を施した画像データを、画像出力手段の特性に基づいて出力カラー画像信号に変換することを特徴とする。【００４４】
画像処理を施した画像データを、画像出力手段の特性に基づいて出力カラー画像信号に変換することで、銀塩媒体、インクジェット媒体、昇華型媒体等の異なった出力毎に画像変換をすることで反射でのこれらの好ましい出力物を得ることができ好ましい。
（１６）  上記（１）から（１５）のいずれか一項に記載の画像処理装置において、
前記画像処理手段は、
前記画像データの入力カラー画像信号を画像入力手段の特性に基づいて標準色空間に置ける信号に変換する第１の変換手段と、前記標準色空間に置ける信号を画像出力手段の特性に基づいて変換する第２の変換手段と、第２の変換手段によって変換された標準色空間に置ける信号を出力カラー画像信号に変換する第3の変換手段とを備えることを特徴とする。【００４５】
画像データの入力カラー画像信号を画像入力手段の特性に基づいて標準色空間に置ける信号に変換し、前記標準色空間に置ける信号を画像出力手段の特性に基づいて出力カラー画像信号に変換することで、各画像での色域情報をさらに各媒体で活かしてカラーマネージメントをし、銀塩媒体、インクジェット媒体、昇華型媒体等の異なった出力毎に各画像の色域情報を得ることができ好ましい。さらに好ましくは、標準色空間としては色温度Ｄ５０でプロファイルを保持して画像変換するのが観察した際との際が小さく好ましい。また変換はＬＵＴ（Look Up Table）と呼ばれる出力特性を定義した関数を用いるのが汎用性が高く安定で好ましい。また、入力と出力目標の変換に、さらに前記２つの変換を組み合わせるようにした変換をする（第３の変換式などを作成する）ことが変換のノイズ、容易性から好ましい。【００４６】
標準区間に置ける信号を画像出力手段の特性に基づいた出力カラー画像信号への変換が、ガマットマッピングに基づいた変換であることで、各画像での色域情報をさらに各媒体で活かしてカラーマネージメントしつつ色飽和を起こしにくくして、銀塩媒体、インクジェット媒体、昇華型媒体等での異なった出力でも安定で高品質なプリントが得ることができ好ましい。【００４７】
特に好ましくは、高彩度での明度を落として広い出力色再現領域を与えるように画像処理後のカラー画像信号をガマットマッピングするのが今までのアナログ写真同等の重厚感を付与でき好ましい。また、各々の出力再現領域が狭い場合に、高彩度になるに従い、彩度圧縮をして飽和させないのがトーンジャンプを抑制し好ましい。
（１７）  上記（１）から（１６）のいずれか一項に記載の画像処理装置において、
前記画像処理手段は、前記画像データの出力形式における色再現範囲に基づき、画像処理前の画像データの色域より広い色域を用いて彩度変化の飽和が生じない画像処理を行うことを特徴とする。【００４８】
前記画像データの出力形式に置ける色再現範囲に基づき、画像処理前の画像データの色域より広い色域を用いて彩度変化の飽和が生じない画像処理を行うことで、色相再現角の圧縮、彩度変換、強調をした際に、画像データの狭い色域で変換する事による色飽和とトーンジャンプを抑制でき好ましい。特に限定はされないが、内部画像処理としての色域として、16bit、またはsRGB64、Jpeg2000、ERI-jpeg等の広い色域を使って画像処理をすることで色再現を保持しつつ色飽和が抑制できるので好ましい。
（１８）  上記（１）から（１７）のいずれか一項に記載の画像処理装置において、
前記画像処理手段は、画像入力手段のプロファイルを保持した画像データを画像処理することを特徴とする。【００４９】
前記画像データの画像入力手段のプロファイルを保持した画像データを画像処理することで、安定したカラーマネージメントができ高品質な画像及びおよびプリントを得ることができ好ましい。
（１９）  上記（１）から（１８）のいずれか一項に記載の画像処理装置において、
前記画像処理手段は、ハロゲン化銀塩の媒体出力用の画像データに画像処理することを特徴とする。【００５０】
画像処理が銀塩媒体出力を前提とすることで特にアナログ写真と同様の光沢感をもち色再現に優れたプリントを得ることができ好ましい。【００５１】
特に限定はされないが、出力媒体としては、銀塩カラーペーパーやポジ型銀塩フィルムが好ましく、変換する際には、銀塩の色域が狭いことがあるためにRGB→Lab変換でガマットマッピングするのが色飽和を抑制しつつ光沢感に優れ、アナログ同等の重厚感も付与でき好ましい。
（２０）  上記（１）から（１９）のいずれか一項に記載の画像処理装置において、
前記画像処理手段は、静物の画像データに比べて、人物の画像データの肌色領域での色相再現角の圧縮を大きくすることを特徴とする。【００５２】
静物（物撮り）の画像データに比べて、人物（ポートレート）の画像データの肌色領域での色相再現角の圧縮を大きくすることで、ポートレート以外のシーンでも立体感に優れ、物体の表面の描写を損ねず好ましい画像を安定に生成することができ好ましい。
（２１）  上記（１）から（２０）のいずれか一項に記載の画像処理装置において、
前記画像処理手段は、画像データのシーン判別及び／又は顔抽出を行い、その結果に基づいて画像処理の変換条件を変えることを特徴とする。【００５３】
画像データのシーン判別及び／又は顔抽出を行い、その結果に基づいて画像処理の変換条件を変えることで、ポートレート以外のシーンでも安定に撮影の環境変動が抑制でき優れた色再現を得ることができる。特に限定されないが、シーン判別で選択できるようにするとか、また肌色領域の大きさ及び／又は顔認識での各因子でのアルゴリズムに従いある条件でポートレートか物撮りかを判定して適宜本発明の効果を損ねないようにして選択して用いることができるし、また色温度を検出して色相目標角を制御したり、さらにはこれらの因子で重み付けをして、本発明の、色相圧縮量、目標角度、圧縮方法、そして有彩色とニュートラルとのコントラスト差、コントラスト形状、さらには彩度強調の量、方法、画像処理でのガマットマッピング方法、量を考慮して画像処理を変えて行うことが特に好ましい。
（２２）  画像撮影装置は、
被写体を撮影して画像データを生成する撮影手段と、
上記（１）から（２１）のいずれか一項に記載の画像処理装置とを備え、
前記画像処理手段は、前記撮影手段により生成された画像データを画像処理することを特徴とする。
（２３）  画像処理システムは、
画像データを入力する画像入力手段と、
画像データを出力する画像出力手段と、
請求の範囲第１項から第２１項のいずれか一項に記載の画像処理装置とを備え、
前記画像処理手段は、前記画像入力手段から入力された画像データを画像処理して前記画像出力手段に出力することを特徴とする。
（２４）  画像データを画像処理する画像処理方法において、
画像データの肌色に相当する肌色領域の範囲の色相再現角を圧縮する画像処理工程を含むことを特徴とする。
(２５)  上記（２４）項に記載の画像処理方法において、
前記画像処理工程において、前記肌色領域の範囲を、特定された目標の目標色相再現角に収束させて前記色相再現角を圧縮することを特徴とする。
（２６）  上記（２４）項または（２５）項に記載の画像処理方法において、
前記画像処理工程において、色温度及び最明度に基づいて、前記肌色領域の範囲の色相再現角の圧縮の中心及び／又は圧縮量を変えることを特徴とする。
（２７）  上記（２４）から（２６）のいずれか一項に記載の画像処理方法において、
前記画像処理工程において、前記肌色領域の範囲をある特定に決められた目標の目標色相再現角に収束させる場合に、前記色相再現角の圧縮の度合いを、前記目標色相再現角から離れるに従って大きくすることを特徴とする。
（２８）  上記（２４）から（２７）のいずれか一項に記載の画像処理方法において、
前記画像処理工程において、前記色相再現角の圧縮の度合いを、彩度が高くなるに従って小さくすることを特徴とする。
（２９）  画像データを画像処理する画像処理方法において、
画像データのニュートラルのコントラストを軟調にし、他の有彩色のコントラストを硬調にする画像処理工程を含むことを特徴とする。
（３０）  上記（２９）項に記載の画像処理方法において、
前記画像処理工程において、前記画像データの有彩色のコントラストとニュートラルとのコントラストとの差を５％以上にすることを特徴とする。
（３１）  上記（２９）項または（３０）項に記載の画像処理方法において、
前記画像処理工程において、前記画像データの明度が低くなるほど彩度を強調することを特徴とする。
（３２）  上記（２９）から（３１）のいずれか一項に記載の画像処理方法において、
前記画像処理工程において、前記画像データの彩度強調の度合いを、彩度が大きくなるに従って強調することを特徴とする。
（３３）  上記（２９）から（３２）のいずれか一項に記載の画像処理方法において、
前記画像処理工程において、前記画像データの彩度強調の度合いを、明度変化量に従って強調することを特徴とする。
（３４）  上記（２９）から（３３）のいずれか一項に記載の画像処理方法において、
前記画像処理工程において、前記画像データの画像処理前よりも画像処理後の最明度の明度を低くすることを特徴とする。
（３５）  上記（２９）から（３４）のいずれか一項に記載の画像処理方法において、
前記画像処理工程において、前記画像データの肌色に相当する肌色領域の範囲の色相再現角を圧縮することを特徴とする。
（３６）  上記（２４）から（３５）のいずれか一項に記載の画像処理方法において、
画像処理される画像データは、撮影時のシーンリファードデータ及び／又はＲＡＷデータであることを特徴とする。
（３７）  画像データを画像処理する画像処理方法において、
加法混色で形成される透過型フィルム及び／又はモニタ用の可視の画像データに比べて、減法混色で形成する反射型プリント用の画像データの最明度を低くする画像処理工程を含むことを特徴とする。
（３８）  上記（２４）から（３７）のいずれか一項に記載の画像処理方法において、
前記画像処理工程において、画像処理を施した画像データを、画像出力手段の特性に基づいて出力カラー画像信号に変換することを特徴とする。
（３９）  上記（２４）から（３８）のいずれか一項に記載の画像処理方法において、
前記画像処理工程は、
前記画像データの入力カラー画像信号を画像入力手段の特性に基づいて標準色空間に置ける信号に変換する第１の変換工程と、前記標準色空間に置ける信号を画像出力手段の特性に基づいて出力カラー画像信号に変換する第２の変換工程と、を含む前記標準色空間の第３の変換工程を含むことを特徴とする。
（４０）  上記（２４）から（３９）のいずれか一項に記載の画像処理方法において、
前記画像処理工程において、前記画像データの出力形式における色再現範囲に基づき、画像処理前の画像データの色域より広い色域を用いて彩度変化の飽和が生じない画像処理を行うことを特徴とする。
（４１）  上記（２４）から（４０）のいずれか一項に記載の画像処理方法において、
前記画像処理工程において、画像入力手段のプロファイルを保持した画像データを画像処理することを特徴とする。
（４２）  上記（２４）から（４１）のいずれか一項に記載の画像処理方法において、
前記画像処理工程において、ハロゲン化銀塩の媒体出力用の画像データに画像処理することを特徴とする。
（４３）  上記（２４）から（４２）のいずれか一項に記載の画像処理方法において、
前記画像処理工程において、静物の画像データに比べて、人物の画像データの肌色領域での色相再現角の圧縮を大きくすることを特徴とする。
（４４）  上記（２４）から（４３）のいずれか一項に記載の画像処理方法において、
前記画像処理工程において、前記画像データのシーン判別及び／又は顔抽出を行い、その結果に基づいて画像処理の変換条件を変えることを特徴とする。
（４５）  コンピュータに、
画像データの肌色に相当する肌色領域の範囲の色相再現角を圧縮する画像処理機能、
を実現させるためのプログラムである。
（４６）  上記（４５）項に記載のプログラムにおいて、
前記画像処理機能は、前記肌色領域の範囲を、特定された目標の目標色相再現角に収束させて前記色相再現角を圧縮することを特徴とする。
（４７）  上記（４５）項または（４６）項に記載のプログラムにおいて、
前記画像処理機能は、色温度及び最明度に基づいて、前記肌色領域の範囲の色相再現角の圧縮の中心及び／又は圧縮量を変えることを特徴とする。
（４８）  上記（４５）から（４７）のいずれか一項に記載のプログラムにおいて、
前記画像処理機能は、前記肌色領域の範囲をある特定に決められた目標の目標色相再現角に収束させる場合に、前記色相再現角の圧縮の度合いを、前記目標色相再現角から離れるに従って大きくすることを特徴とする。
（４９）  上記（４５）から（４８）のいずれか一項に記載のプログラムにおいて、
前記画像処理機能は、前記色相再現角の圧縮の度合いを、彩度が高くなるに従って小さくすることを特徴とする。
（５０）  コンピュータに、
画像データのニュートラルのコントラストを軟調にし、他の有彩色のコントラストを硬調にする画像処理機能、
を実現させるためのプログラムである。
（５１）  上記（５０）項に記載のプログラムにおいて、
前記画像処理機能は、前記画像データの有彩色のコントラストとニュートラルとのコントラストとの差を５％以上にすることを特徴とする。
（５２）  上記（５０）項または（５１）項に記載のプログラムにおいて、
前記画像処理機能は、前記画像データの明度が低くなるほど彩度を強調することを特徴とする。
（５３）  上記（５０）から（５２）のいずれか一項に記載のプログラムにおいて、
前記画像処理機能は、前記画像データの彩度強調の度合いを、彩度が大きくなるに従って強調することを特徴とする。
（５４）  上記（５０）から（５３）のいずれか一項に記載のプログラムにおいて、
前記画像処理機能は、前記画像データの彩度強調の度合いを、明度変化量に従って強調することを特徴とする。
（５５）  上記（５０）から（５４）のいずれか一項に記載のプログラムにおいて、
前記画像処理機能は、前記画像データの画像処理前よりも画像処理後の最明度の明度を低くすることを特徴とする。
（５６）  上記（５０）から（５５）のいずれか一項に記載のプログラムにおいて、
前記画像処理機能は、前記画像データの肌色に相当する肌色領域の範囲の色相再現角を圧縮することを特徴とする。
（５７）  上記（５０）から（５６）のいずれか一項に記載のプログラムにおいて、
画像処理される画像データは、撮影時のシーンリファードデータ及び／又はＲＡＷデータであることを特徴とする。
（５８）  コンピュータに、
加法混色で形成される透過型フィルム及び／又はモニタ用の可視の画像データに比べて、減法混色で形成する反射型プリント用の画像データの最明度を低くする画像処理機能、
を実現させるためのプログラムである。
（５９）  上記（４５）から（５８）のいずれか一項に記載のプログラムにおいて、
前記画像処理機能は、画像処理を施した画像データを、画像出力手段の特性に基づいて出力カラー画像信号に変換することを特徴とする。
（６０）  上記（４５）から（５９）のいずれか一項に記載のプログラムにおいて、
前記画像処理機能は、
前記画像データの入力カラー画像信号を画像入力手段の特性に基づいて標準色空間に置ける信号に変換する第１の変換工程と、前記標準色空間に置ける信号を画像出力手段の特性に基づいて出力カラー画像信号に変換する第２の変換工程と、を含む前記標準色空間の第３の変換機能を含むことを特徴とする。
（６１）  上記（４５）から（６０）のいずれか一項に記載のプログラムにおいて、
前記画像処理機能は、前記画像データの出力形式における色再現範囲に基づき、画像処理前の画像データの色域より広い色域を用いて彩度変化の飽和が生じない画像処理を行うことを特徴とする。
（６２）  上記（４５）から（６１）のいずれか一項に記載のプログラムにおいて、
前記画像処理機能は、画像入力手段のプロファイルを保持した画像データを画像処理することを特徴とする。
（６３）  上記（４５）から（６２）のいずれか一項に記載のプログラムにおいて、
前記画像処理機能は、ハロゲン化銀塩の媒体出力用の画像データに画像処理することを特徴とする。
（６４）  上記（４５）から（６３）のいずれか一項に記載のプログラムにおいて、
前記画像処理機能は、静物の画像データに比べて、人物の画像データの肌色領域での色相再現角の圧縮を大きくすることを特徴とする。
（６５）  上記（４５）から（６４）のいずれか一項に記載のプログラムにおいて、
前記画像処理機能は、前記画像データのシーン判別及び／又は顔抽出を行い、その結果に基づいて画像処理の変換条件を変えることを特徴とする。【００５４】
以下、図を参照して本発明に係る第１、第２及び第３の実施の形態を順に詳細に説明する。
【第１の実施の形態】
【００５５】
図１〜図１３を参照して、本発明に係る第１の実施の形態を説明する。先ず、図１及び図２を参照して、本実施の形態の画像処理システムとしての画像記録装置１の装置構成を説明する。図１に、本実施の形態の画像記録装置１の外観を示す。図２に、画像記録装置１の概略構成を示す。
【００５６】
ここでは画像記録装置１として、感光材料に露光して現像し、プリントを作成するものが例示されているが、これに限らず、画像情報に基づいてプリントを作成できるものであればよく、例えば、インクジェット方式、電子写真方式、感熱方式、昇華方式のプリント作成装置であってもよい。
【００５７】
画像記録装置１は、画像処理装置としての本体２の左側面にマガジン装填部３を備え、本体２内には記録媒体である感光材料に露光する露光処理部４と、露光された感光材料を現像処理して乾燥し、プリントを作成するプリント作成部５が備えられ、作成されたプリントは本体２の右側面に設けられたトレー６に排出される。さらに、本体２の内部には、露光処理部４の上方位置に制御部７が備えられている。
【００５８】
また、本体２の上部には、ＣＲＴ８が配置されている。このＣＲＴ８がプリントを作成しようとする画像情報の画像を画面に表示する表示手段を構成している。ＣＲＴ８の左側に透過原稿読み込み装置であるところのフィルムスキャナ部９が配置され、右側に反射原稿入力装置１０が配置されている。
【００５９】
フィルムスキャナ部９や反射原稿入力装置１０から読み込まれる原稿として写真感光材料があり、この写真感光材料としては、カラーネガフィルム、カラーリバーサルフィルムが挙げられ、アナログカメラにより撮像した駒画像情報が記録される。フィルムスキャナ部９のフィルムスキャナでデジタル情報に変換し、駒画像情報とすることができる。また、写真感光材料がカラーペーパーの場合、反射原稿入力装置１０のフラットベットスキャナで駒画像情報にすることができる。
【００６０】
また、本体２の制御部７の位置には、画像読込部１４が設けられている。画像読込部１４にはＰＣカード用アダプタ１４ａ、フロッピー（登録商標）ディスク用アダプタ１４ｂが備えられ、ＰＣカード１３ａやフロッピー（登録商標）ディスク１３ｂが差し込み可能になっている。ＰＣカード１３ａには、デジタルカメラで撮像して複数の駒画像情報が記憶されたメモリを有する。フロッピー（登録商標）ディスク１３ｂには、例えばデジタルカメラで撮像して複数の駒画像情報が記憶される。
【００６１】
ＣＲＴ８の前側に操作部１１が配置され、この操作部１１に情報入力手段１２が設けられ、情報入力手段１２は、例えばタッチパネル等で構成される。駒画像情報を有する記録媒体としては、マルチメディアカード、メモリーステック、ＭＤデータ、ＣＤ−ＲＯＭ、ＤＶＤ−ＲＯＭ等としてもよい。
【００６２】
なお、操作部１１、ＣＲＴ８、フィルムスキャナ部９、反射原稿入力装置１０、画像読込部１４は、本体２に一体的に設けられて装置の構造となっているが、いずれか１つ以上を別体として設けてもよい。
【００６３】
さらに、本体２の制御部７の位置には、画像書込部１５が設けられている。画像書込部１５にはＦＤ用アダプタ１５ａ、ＭＯ用アダプタ１５ｂ、光ディスク用アダプタ１５ｃが備えられ、ＦＤ１６ａ、ＭＯ１６ｂ、光ディスク１６ｃが差し込み可能になっており、画像情報を画像記録メディアに書き込むことができるようになっている。
【００６４】
さらに制御部７には図示されない通信手段が設けられており、施設内の別のコンピュータやインターネット等を介した遠方のコンピュータから直接、撮像画像を表す画像信号とプリント命令を受信し、所謂ネットワークプリンタ装置として機能することが可能になっている。
【００６５】
画像記録装置１の制御部７は、情報入力手段１２からの指令情報に基づき、フィルムスキャナ部９や反射原稿入力装置１０からの原稿情報の読み込みを行い、画像情報を得てＣＲＴ８に表示する。
【００６６】
また、画像記録装置１はデータ蓄積手段８０を有する。データ蓄積手段８０に画像情報とそれに対応する注文情報（どの駒の画像から何枚プリントを作成するかの情報、プリントサイズの情報等）、及びプリントでの画像処理条件等の情報とを記憶し順次蓄積する。フィルムスキャナ部９からは、アナログカメラにより撮像されたネガフィルムを現像して得られる現像済のネガフィルムＮからの駒画像データが入力され、反射原稿入力装置１０からは駒画像を印画紙に焼き付けて現像処理したプリントＰからの駒画像データが入力される。
【００６７】
また、制御部７は、画像処理部７０を有し、この画像処理部７０で画像信号を本発明の画像処理をほどこして露光用画像情報を形成し、露光処理部４に送る。
【００６８】
露光処理部４では、感光材料に画像の露光が行われ、この感光材料をプリント作成部５に送り、プリント作成部５で露光された感光材料を現像処理して乾燥し、プリントＰ１、Ｐ２、Ｐ３を作成する。プリントＰ１はサービスサイズ、ハイビジョンサイズ、パノラマサイズ等であり、プリントＰ２はＡ４サイズ、プリントＰ３は名刺サイズのプリントである。
【００６９】
この画像記録装置１には、デジタルカメラにより撮像して記憶されたＰＣカード１３ａやフロッピー（登録商標）ディスク１３ｂの駒画像情報を読み出して転送する画像読込部１４が備えられている。この画像読込部１４には、画像転送手段３０としてＰＣカード用アダプタ、フロッピー（登録商標）ディスク用アダプタ等が設けられている。ＰＣカード用アダプタ１４ａにＰＣカード１３ａを差し込み、またはフロッピー（登録商標）ディスク用アダプタ１４ｂにフロッピー（登録商標）ディスク１３ｂを差し込み、ＰＣカード１３ａやフロッピー（登録商標）ディスク１３ｂに記録された駒画像情報を読み取りマイクロコンピュータで構成される制御部７へ転送する。ＰＣカード用アダプタ１４ａとしては、例えばＰＣカードリーダやＰＣカードスロット等が用いられる。
【００７０】
また、画像書込部１５には、画像搬送部３１としてＦＤ用アダプタ１５ａ、ＭＯ用アダプタ１５ｂ、光ディスク用アダプタ１５ｃが備えられ、ＦＤ１６ａ、ＭＯ１６ｂ、光ディスク１６ｃが差し込み可能になっており、画像情報を画像記録メディアに書き込むことができるようになっている。
【００７１】
また、画像処理部７０に接続された、図示されない通信手段を用いて、本発明の画像処理を施した後の撮影画像を表す画像信号と付帯するオーダ情報を、施設内の別のコンピュータやインターネット等を介した遠方のコンピュータに対して送付することも可能になっている。
【００７２】
このように画像記録装置１は、各種デジタルメディアの画像、及び画像原稿を分割測光して得られた画像情報を取り込む画像入力手段と、この画像入力手段から取り入れた入力画像の画像データに本発明の画像処理を施す画像処理手段と、処理済の画像を表示、またはプリント出力、あるいは画像記録メディアに書き込む画像出力手段と、通信回線を介して施設内の別のコンピュータやインターネット等を介した遠方のコンピュータに対して画像信号と付帯するオーダ情報を送信するオーダ通信手段とを有する。画像入力手段は、各種デジタルメディアの画像の画像情報を取り込む画像読込部１４と、画像原稿を分割測光して得られた画像情報を取り込むフィルムスキャナ部９と、反射原稿入力装置１０と、図示されない通信手段から構成される。画像処理手段は、画像処理部７０に備えられ、また画像出力手段は、画像の表示を行なうＣＲＴ８と、プリント出力する露光処理部４と、プリント作成部５と、画像記録メディアに書き込む画像書込部１５と、図示されない通信手段とから構成されている。
【００７３】
図３に、画像処理部７０の概略構成を示す。画像処理部７０内の画像調整処理部７１は、図３に示すように、本発明の画像処理を言う色再現変換部７ｂと第１の画像処理部７ａとで構成される。フィルムスキャナ部９から入力された画像信号は、フィルムスキャンデータ処理部７２において、フィルムスキャナ部９固有の校正操作・ネガ原稿の場合のネガポジ反転・グレーバランス調整・コントラスト調整などが施され、画像調整処理部７１に送られる。また、フィルムサイズ・ネガポジ種別・フィルムに光学的或いは磁気的に記録されたＩＳＯ感度、メーカー名、主要被写体に関わる情報・撮影条件に関する情報（例えばＡＰＳの記載情報内容）などが、併せて画像調整処理部７１に送られる。
【００７４】
また、反射原稿入力装置１０から入力された画像信号は、反射原稿スキャンデータ処理部７３において、反射原稿入力装置１０固有の校正操作・ネガ原稿の場合のネガポジ反転・グレーバランス調整・コントラスト調整などが施され、画像調整処理部７１に送られる。
【００７５】
画像転送手段３０又は通信手段１ａから入力された画像信号は、画像データ書式解読処理部７４において、その信号のデータ書式に従い必要に応じて圧縮符号の復元・色信号の表現方法の変換等を行ない、画像処理部７０内の演算に適したデータ形式に変換されて画像調整処理部７１に送られる。また、画像信号のヘッダ情報・タグ情報から取得したＤＳＣ（デジタルカメラ）のメーカー名、機種名、主要被写体に関わる情報及び撮影条件に関する情報が、併せて画像調整処理部７１に送られる。
【００７６】
この他、フィルムスキャナ部９、反射原稿入力装置１０、画像転送手段３０、通信手段１ａからの主要被写体に関わる情報及び撮影条件に関する情報を補足・補充する形で、操作部１１から該情報を画像調整処理部７１に送る事もできる。出力画像の大きさについての指定は操作部１１から入力されるが、この他に通信手段１ａへ送られた出力画像の大きさについての指定や、画像転送手段３０が取得した画像信号のヘッダ情報・タグ情報に埋め込まれた出力画像の大きさについての指定があった場合には、画像データ書式解読処理部７４が該情報を検出し、画像調整処理部７１へ転送する。
【００７７】
なお、第１の画像処理部７ａで実行される画像処理としては、操作部１１又は制御部７Ａの指令に基づき、フィルムスキャナ部９、反射原稿入力装置１０、画像転送手段３０、通信手段１ａから受け取った画像データに対して、例えば画像のグレーバランス調整、濃度調整、階調コントロール、画像の超低周波輝度成分の階調を圧縮するハイパートーン処理、粒状を抑制しながらシャープネスを強調するハイパーシャープネス処理等の出力画像の画質向上のための画像処理が挙げられる。また、画像を意図的に変更する画像処理（例えば人物を細身に仕上げたり、しわ除去等をさせるための画像処理等）等の画像処理も実行してもよく、その後に本発明に係わる画像処理としての色再現変換部を通して本発明の、色相、有彩色とニュートラルとのコントラスト、彩度、最明度の調整を行いＣＲＴ固有処理部７５、プリンタ固有処理部７６，７７、画像データ書式作成処理部７８、データ蓄積手段８０へ処理済みの画像信号を送出する。本発明は、本発明の効果を妨げずノイズ、周波数等の処理で問題ない範囲で、第１の画像処理部７ａの画像処理前に本発明の色再現変換を行っても構わない。
【００７８】
ＣＲＴ固有処理部７５では、画像調整処理部７１から受け取った画像データに対して、必要に応じて画素数変更・カラーマッチング等の処理を行ない、制御情報等表示が必要な情報と合成した表示用の信号をＣＲＴ８に送出する。
【００７９】
プリンタ固有処理部７６では、必要に応じてプリンタ固有の校正処理・カラーマッチング・画素数変更等を行ない、露光処理部４に画像信号を送出する。画像記録装置１に、さらに大判インクジェットプリンタなど、外部プリンタＰＲを接続する場合には、接続する外部プリンタＰＲごとにプリンタ固有処理部７７を設け、適正なプリンタ固有の校正処理・カラーマッチング・画素数変更等を行なうようにする（後述詳細）。画像データ書式作成処理部７８においては、画像調整処理部から受け取った画像信号に対して、必要に応じてJPEG、TIFF、Exif等に代表される各種の汎用画像フォーマットへの変換を行ない、画像書込部１５や通信手段１ｂへ画像信号を転送する。
【００８０】
以上の、フィルムスキャンデータ処理部７２、反射原稿スキャンデータ処理部７３、画像データ書式解読処理部７４、画像調整処理部７１、ＣＲＴ固有処理部７５、プリンタ固有処理部７６，７７、画像データ書式作成処理部７８という区分は、画像処理部７０の機能の理解を助ける為に設けた区分であり、必ずしも物理的に独立したデバイスとして実現される必要はなく、たとえば単一のＣＰＵにおけるソフトウエア処理の種類の区分として実現されてもよい。
【００８１】
図４に、色再現変換部７ｂの概略構成を示す。図４に示すように、色再現変換部７ｂは、入力された画像データが表す画像の濃度が出力画像（印画紙に画像を記録する出力形式において印画紙上に可視化された画像や、ＣＤ−Ｒに画像データを記録する出力形式において記録した画像データを用いてＣＲＴに表示した画像：これらの画像は本発明に係る可視画像に対応している）上で適正に再現されるように入力された画像データの濃度を変換するための濃度変換用ルックアップテーブル（ＬＵＴ）７ｂ１、色相、有彩色とニュートラルとのコントラスト、彩度、最明度の調整が指示された場合に出力画像の色相、コントラスト、最明度、彩度調整を行うための３次元ルックアップテーブル（３Ｄ−ＬＵＴ）７ｂ２が順に接続されて構成されており、画像データの出力端にはＣＲＴ、プリンタ及びＣＤ−Ｒ等の画像書き込み手段が各々接続されている。
【００８２】
また、出力調整用３Ｄ−ＬＵＴ（詳細は後述）７ｂ３は、出力デバイス特性データを受け取ってガマットマッピングを行う場合の画像処理手段に対応している。
【００８３】
また、画像処理部７０には操作部１１及び制御部７Ａが接続されている。この部分では、例えば前述のマイクロコンピュータの入出力ポートに接続されたキーボードやマウスで構成することができる、表示された出力画像を検定したオペレータはキー補正を操作し、検定結果を入力する。そして検定を経て処理条件が確定すると、確定した処理条件を画像処理部７０へ通知する。
【００８４】
次に本実施の形態の作用について、画像記録装置１の画像処理部７０で実行される画像調整処理を示す図５を参照しながら説明する。図５に、画像調整処理を示す。なお、この画像調整処理はフィルムスキャナ部９に単一の画像データを読み込みが実施される毎に画像処理部７０で実行される。
【００８５】
先ず、スキャンされてデータ蓄積手段８０に記憶された低解像度画像データを取り込み、画像中の主要部（例えば人物の顔に相当する領域（顔領域））の抽出や、各種の画像特徴量の演算等の処理から成る画像データの解析を行う（ステップＳ１１）。また、ステップＳ１１で画像データを解析した結果に基づいて、高解像度で取り込んだ画像データに対して実行される画像処理の最適な処理条件を演算し、演算した処理条件を第１の画像処理部７ａへ通知する（ステップＳ１２）。なお、操作部１１、制御部７Ａは、静物の画像データに比べて、人物の画像データの肌色領域での色相再現角の圧縮を大きくするための指示又は指定や、画像データのシーン判別及び／又は顔抽出を行い、その結果に基づいて画像処理の変換条件を変えるための指示又は指定を、入力するための手段に対応する。
【００８６】
本実施の形態では画像の出力形式として、ＣＲＴ８への画像の表示（モニタ表示）、プリンタ（露光処理部４、プリント作成部５、外部プリンタＰＲなど）による印画紙等への画像の記録（プリント出力）、及び画像書き込み部（ＣＤ−Ｒ等の書込み）への３種類の出力形式が用意されているが、ＣＤ−Ｒに書き込まれた画像データは一般にＣＲＴモニタへの表示に用いられるので、該画像データはＣＲＴモニタに表示する際に特別な後処理を施すことなくＣＲＴ８モニタ上に好ましい画像品質で表示されることができる。
【００８７】
本実施の形態ではモニタ表示用の濃度変換データとＣＤ−Ｒ書込み用の濃度変換データを共通化でき、データ蓄積手段８０には、プリント出力用と、モニタ表示／ＣＤ−Ｒ書込み用の２種類の濃度変換データを蓄積し記憶することができる。本発明は、プリント出力用に特に用いることが好ましいが、指示により必要とあればモニタ表示／ＣＤ−Ｒ書込み用へも用いることができる。
【００８８】
そして、データ蓄積手段８０に記憶されている低解像度画像データに対し、第１の画像処理部７ａによって各種の画像処理を実行させると共に、色再現変換部７ｂによって色再現変換処理（この場合は濃度変換用ＬＵＴ７ｂ１による濃度変換処理のみ）を実行させる（ステップＳ１３）。
【００８９】
これにより、第１の画像処理部７ａはスキャナ部９から低解像度画像データを取り込み、先のステップＳ１２の処理によって通知された処理条件に基づき、高解像度画像データを対象として第１の画像処理部７ａで行われる画像処理と等価な画像処理を低解像度画像データに対して行って推定した画像データを生成する（ステップＳ１４）。第１の画像処理部７ａによって生成された画像データは、色再現変換部７ｂの濃度変換用ＬＵＴ７ｂ１により、ＣＲＴ８に表示された画像が、露光処理／出力することで得られる反射媒体、透過媒体等の印画紙やフィルムと見え方が適切に表現される（カラーマネージメントされている状態になる）ように濃度変換される。
【００９０】
そして、色再現変換部７ｂによる色再現処理を経た画像データをＣＲＴ８に出力させることで、前記画像データが表す画像を出力画像としてＣＲＴ８に表示させる（ステップＳ１５）。ステップＳ１５において、ＣＲＴ８に表示された出力画像に対する検定を要請するメッセージをＣＲＴ８に併せて表示させて出力画像の各部の仕上がり等をオペレータに検定させることもできる。
【００９１】
なお、ＣＲＴ８に出力画像を表示し出力画像に対する検定を要請する場合には、オペレータはＣＲＴ８に表示された出力画像を確認し、画質が適正か否か、すなわち第１の画像処理部７ａで演算された処理条件が適正か否か、出力画像の色相、有彩色とニュートラルとのコントラスト差、彩度、最明度等が適切か否かを検定し、検定結果を表す情報を操作部１１から例えばキー補正で入力することができる。
【００９２】
そして、オペレータが操作部１１を介して入力した検定結果を表す情報が「検定ＯＫ」を意味する情報か否か判定する（ステップＳ１６）。「検定ＯＫ」を意味する情報が入力された場合（ステップＳ１６；ＹＥＳ）、ステップＳ２４へ移行する。検定結果を表す情報として、画像処理条件の修正を指示する情報又は画像の彩度の調整を指示する情報が入力された場合、オペレータによる検定結果が「検定ＮＧ」であると判断し（ステップＳ１６；ＮＯ）、ステップＳ１７へ移行する。
【００９３】
ステップＳ１７では、入力された検定結果を表す情報が画像の色相、有彩色とニュートラルとのコントラスト、最明度、彩度のどの調整を指示する情報かを判定する。色再現変換部以外の画像処理の処理条件の修正を指示する情報が入力された場合（ステップＳ１７；ＮＯ）、先のステップＳ１３で演算した画像処理の処理条件を入力された指示に応じて修正し、修正した処理条件を第１の画像処理部７ａに通知し（ステップＳ１８）、ステップＳ１４に戻る。
【００９４】
これにより、第１の画像処理部７ａでは、修正された処理条件に従って推定した画像データを再生成する処理を行い、再度推定して生成された画像データが色再現変換部７ｂの濃度変換用ＬＵＴ７ｂ１による濃度変換を経てＣＲＴ８に出力されることで、入力された修正指示に応じて修正した処理条件に基づいた画像がＣＲＴ８に出力再表示される。ＣＲＴ８に再表示された出力画像をオペレータが目視で確認することにより、オペレータは先に入力した修正指示の内容が適正か否かを容易に判断することができる。
【００９５】
一方、ＣＲＴ８に表示された出力画像に対し、色相、有彩色とニュートラルとのコントラスト、最明度、彩度の調整が適切でないか、調整が必要であると判断した場合、オペレータは操作部１１を介して画像の色相、有彩色とニュートラルとのコントラスト、最明度、彩度の調整を指示する情報（詳しくは、調整量を指示する情報やその他の情報）を入力することができる。なお、本実施の形態では色相、有彩色とニュートラルとのコントラスト、最明度、彩度の調整は増加・軽減方向の両者が設定可能である。オペレータが調整を指示する情報を入力した場合（ステップＳ１７；ＹＥＳ）、ステップＳ１９へ移行する。
【００９６】
ステップＳ１９以降では、色再現変換部７ｂの色相、コントラスト、最明度、彩度の調整用３Ｄ−ＬＵＴ７ｂ２によって上記画像の各特徴量を調整するための処理を行うが、この処理の説明に先立ち、色相、有彩色とニュートラルとのコントラスト、最明度、彩度の調整用３Ｄ−ＬＵＴ７ｂ２によって画像の色再現の調整を行う際に調整用３Ｄ−ＬＵＴ  ７ｂ２にセットされる各々の調整データについて説明する。
【００９７】
画像処理部７０とつながるデータ蓄積手段８０には、出力画像上での色相、有彩色とニュートラルとのコントラスト、最明度、彩度を調整用３Ｄ−ＬＵＴ７ｂ２によって調整するための色相、有彩色とニュートラルとのコントラスト、最明度、彩度の調整データが予め記憶（登録）されている。この調整データは、調整前の画像データの個々の画素のＲＧＢ値と彩度調整後の画像データの個々の画素のＲＧＢ値を対応付けるデータであり、出力画像上での色相、有彩色とニュートラルとのコントラスト、最明度、彩度を、個々の画素毎に調整量を基準として変化させると共に、所定の色領域に属する画素については色相、有彩色とニュートラルとのコントラスト、最明度、彩度変化が変換できるように画像データを変換する変換特性とすることもできる。その場合はこれらの色相、有彩色とニュートラルとのコントラスト、最明度、彩度の調整データは、画像処理の変換データに対応してデータ蓄積手段８０に記憶しておくことができる。
【００９８】
調整データは、例として下記の表１、表２及び表３に示すように、画像の出力形式及び画像に対する各特徴量の強調、圧縮量、変換方法等で複数用意されデータ蓄積手段８０に記憶されている。表１に、色相の調整データの一例を示す。表２に、有彩色とニュートラルとのコントラストの調整データの一例を示す。表３に、最明度の調整データの一例を示す。
【００９９】
【表１】
2005079056.tif 000002
【０１００】
【表２】
2005079056.tif 000003
【０１０１】
【表３】
2005079056.tif 000004
【０１０２】
色相、有彩色とニュートラルとのコントラスト、最明度、彩度の調整データは、例えば以下で説明するようにして設定されている。まず画像データ上での各色成分（本実施の形態ではＲＧＢ）毎の濃度値（以下単にＲＧＢ値という）と、該画像データを用いて画像を出力したときの出力画像上でのＬ*ａ*ｂ*（Ｌ*ａ*ｂ*はＣＩＥが均等知覚色空間として推奨した表色系であり、Ｌ*は明度指数、ａ*ｂ*は知覚色度）と、の関係を個々の出力形式毎に求める。具体的には、様々な色（ＲＧＢ値の組み合わせが互いに異なる色）のパッチを画像として出力し、出力画像上での個々のパッチのＬ*ａ*ｂ*を測定器によって測定することを個々の出力形式毎に行う。
【０１０３】
そして、パッチを作成していない色については、個々の出力形式毎に、画像データ上でのＲＧＢ値と出力画像上でのＬ*ａ*ｂ*の値との関係を補間演算によって求めることで、画像データ上でのＲＧＢ値と出力画像上でのＬ*ａ*ｂ*の値との関係を出力画像上での色再現域の全域に亘って求める。これにより、画像データ上でのＬ*ａ*ｂ*値と出力画像上でのＬ*ａ*ｂ*の値との関係が求まることになる。また、画像データ上でのＲＧＢ値と出力画像上でのＬ*ａ*ｂ*の値との関係も同時に求めて用いることもできる。
【０１０４】
なお、調整用３Ｄ−ＬＵＴ７ｂ２は、調整データとして、画像データ上でのＲＧＢ値の全ての組み合わせに対応する調整後のＬ*ａ*ｂ*又はＲＧＢ値を全て記憶し、色相、有彩色とニュートラルとのコントラスト、最明度、彩度を調整する前のＬ*ａ*ｂ*、ＲＧＢ値が入力されると対応する調整後のＬ*ａ*ｂ*、ＲＧＢ値を単に読み出して出力するように構成することも可能であるが、この場合、個々の調整データのデータ量が膨大なものとなるので、調整用３Ｄ−ＬＵＴ７ｂ２及びデータ蓄積手段８０として膨大な記憶容量のメモリが必要となるという問題がある。
【０１０５】
このため、画像データ上でのＬ*ａ*ｂ*、ＲＧＢ値の全ての組み合わせに対応する色相、有彩色とニュートラルとのコントラスト、最明度、彩度の調整後のＬ*ａ*ｂ*、ＲＧＢ値に対し、適当に間引きして調整データを構成すると共に、調整用３Ｄ−ＬＵＴ７ｂ２を、入力された調整前のＬ*ａ*ｂ*、ＲＧＢ値に対応する調整後のＬ*ａ*ｂ*、ＲＧＢ値が調整データとして記憶されていない場合には、調整前の色値に対応する調整後の色値を、調整データとして記憶されている調整後の色値から補間演算によって求めることが好ましい。これにより、調整用３Ｄ−ＬＵＴ７ｂ２及びデータ蓄積手段８０として必要な記憶容量を削減することができる。
【０１０６】
そして、オペレータによって操作部１１が操作されることで指示された色相、有彩色とニュートラルとのコントラスト、最明度、彩度の調整量を検知する（ステップＳ１９）。次いで、データ蓄積手段８０に記憶されている調整データのうち、「モニタ表示／ＣＤ−Ｒ書込み」に対応する調整データで、かつ対応する調整量が指示されたその調整量に一致する色相、有彩色とニュートラルとのコントラスト、最明度、彩度の調整データを取り込む（ステップＳ２０）。
【０１０７】
本実施の形態では、ステップＳ１９において、オペレータによる指示以外でも、シーン判別、解析結果で「調整要」の場合には、ステップＳ１２で検出された特徴量によって最適な組み合わせを算出して色相、有彩色とニュートラルとのコントラスト、最明度、彩度の調整量を検出することで対処することもできる。
【０１０８】
なお、本実施の形態では、調整量に一致するデータが存在しない場合も生じ得るが、このような場合、ステップＳ２０では、対応する調整量が指示された調整量に近い複数の調整データを取り込むことで対処することもできる。
【０１０９】
次いで、対応する調整量が指示された調整量に一致する調整データがデータ蓄積手段８０に記憶されていたか否か、すなわち調整データの補間演算が必要か否か判定する（ステップＳ２１）。補間演算が必要でない場合（ステップＳ２１；ＮＯ）、何ら処理を行うことなくステップＳ２３へ移行する。補間演算が必要であり、複数の調整データを取り込んだ場合（ステップＳ２１；ＹＥＳ）、取り込んだ複数の調整データに基づいて、対応する調整量が指示された調整量に一致する各々の調整データを補間演算によって求めることができる（ステップＳ２２）。そして、求められた調整データを色相、有彩色とニュートラルとのコントラスト、最明度、彩度の調整用３Ｄ−ＬＵＴ７ｂ２にセットし（ステップＳ２３）、ステップＳ１４に移行する。
【０１１０】
これにより、第１の画像処理部７ａで推定した画像データが再生成され、再生成された画像データは、色再現変換部７ｂの濃度変換用ＬＵＴ７ｂ１によって濃度変換された後に色相、有彩色とニュートラルとのコントラスト、最明度、彩度の調整用３Ｄ−ＬＵＴ７ｂ２に入力される。そして調整用３Ｄ−ＬＵＴ７ｂ２に入力された画像データは、調整用３Ｄ−ＬＵＴ７ｂ２によって各画素毎に色相、有彩色とニュートラルとのコントラスト、最明度、彩度の調整後の画像データに変換されてＣＲＴ８に出力され、調整された出力画像としてＣＲＴ８に表示される。
【０１１１】
なお、色再現変化を抑制すべき色領域が指定されたか否か判定し色再現変換を各色相ごとにさらに調整したい場合などには、特に限定するわけではないがステップＳ２３とＳ２４との間にそれらの判断と調整用データの微調整を行うようにすることもできる。
【０１１２】
前述のように、彩度などの調整用３Ｄ−ＬＵＴ７ｂ２にセットされた色相、有彩色とニュートラルとのコントラスト、最明度、彩度の調整データは、ＣＲＴ８に表示された出力画像上での色再現範囲に基づいて（詳しくは画像データ上でのＲＧＢ値とＣＲＴ８に表示された出力画像上でのＬ*ａ*ｂ*の値（Ｌ*Ｃ*Ｈ*の値）との関係に基づいて）設定されたデータであり、対応する色相、有彩色とニュートラルとのコントラスト、最明度、彩度の調整量が指示された各調整量に一致しており、所定の色領域（すなわち、色相角０〜９０度の所定範囲に相当する色領域）に属する画素では、色相再現角が圧縮され、またさらにある特定に決められた目標の色相角に収束させられたり、色温度、ホワイトポイントに従い、肌色領域の色相圧縮の中心及び／又は圧縮量を変えて処理されたり、決められた目標の色相角から離れるに従って大きく圧縮されたり、彩度が高くなるに従って小さく圧縮するように色相変換されるように画像データを変換する変換特性となっている。
【０１１３】
ここで、上記画像データの変換の例を示す。図６に、線形の色相再現角の圧縮の一例を示す。図６に示すように、ａ*及びｂ*空間において、画像データの肌色に相当する肌色領域の範囲の色相再現角を圧縮した。図７に、非線形の色相再現角の圧縮の一例を示す。図７に示すように、肌色領域の範囲を、特定された目標の目標色相再現角（中心角）に収束させるとともに、色相再現角の圧縮の程度を、彩度Ｃ*が高くなるに従って小さくするように非線形に色相再現角を圧縮し、特に肌色の色相ずれの低減が認められ好ましい色再現処理をすることができた。また、色相再現角の圧縮の程度を、目標色相再現角から離れるに従って大きくしてもよい。また、色温度及び最明度に基づいて、肌色領域の範囲の色相再現角の圧縮の中心及び／又は圧縮量を変えることとしてもよい。
【０１１４】
さらには、ニュートラルのコントラストを軟調にし、他の有彩色のコントラストを硬調にしてコントラスト差を強調し、明度が低くなるほど彩度が強調され、彩度が大きくなるに従って彩度強調の度合いが強調され、またさらには、明度変化量に従って強調され、必要とあれば、ホワイトポイント（最明度）の明度が圧縮され低くされるように、彩度とコントラスト変換されるように画像データを変換する変換特性となっている。
【０１１５】
図８に、変換前に対する変換後の無彩色と有彩色とのコントラスト（bit）の関係の一例を示す。図９に、変換前に対する変換後の無彩色と有彩色とのコントラスト（Ｌ*）の関係の一例を示す。例えば、図８及び図９に示すように、変換前に対する変換後のコントラストを、ニュートラルのコントラストを軟調にし、他の有彩色のコントラストを硬調にした。このため、立体感が付与でき好ましい色再現処理を得ることができた。また、画像データの有彩色のコントラストとニュートラルとのコントラストとの差を５％以上にすることとしてもよい。
【０１１６】
図１０に、彩度変換の一例を示す。例えば、図１０に示すように、変換前に対する変換後の画像データの彩度強調の度合いを、彩度が大きくなるに従って強調した。このため、肌の陰周りでの色再現が向上し、好ましい結果を得ることができた。図１１に、明度カーブ（コントラスト）の一例を示す。例えば、図１１に示すように、画像データの彩度強調の度合いを、明度変化量ΔＬ*に従って強調するとともに、変換前よりも変換後の最明度（ホワイトポイント）の明度を低くした。最明度を低くし、ハイライトを圧縮したため、更に好ましい立体感をハイライトでも得ることができた。
【０１１７】
このため、ＣＲＴ８に表示される出力画像は、ポートレート写真で撮影したときに肌色の色相のずれが起こりにくく、また期待色も安定に再現し、さらには陰周りの彩度が高くきれいで、立体感を付与することができ、さらにはこのように処理した高品質の画像を最適に出力できる。
【０１１８】
オペレータは、ＣＲＴ８に再表示された画像を目視で確認することにより、先に指示した色相、有彩色とニュートラルとのコントラスト、最明度、彩度の調整によって画質が適切に改善されたか否かを検定する。そして、例えば彩度調整量が適切でないと判断した場合には、先に指示した彩度調整量を修正する情報を操作部１１に含まれるキー補正を介して入力する。これにより、ステップＳ１６の判定が否定されると共にステップＳ１７の判定が肯定され、修正後の新たな彩度調整量に基づいてステップＳ１９〜Ｓ２３の処理が繰り返される。
【０１１９】
また、出力画像の検定において、例えば画像全体に対する彩度調整量は適切であるものの、肌の色相がマゼンタ過多となっているために画質低下が生じている部分があると判断した場合、オペレータは、前記部分の色相圧縮量と目標角を変化させるために操作部１１を介して画質の向上をはかることができる。
【０１２０】
さらに、出力画像の検定において、例えば画像全体に対する色相調整量は適切であるものの、有彩色とニュートラルとのコントラスト差が不足となっているために画像全体での立体感が不足であり画質低下が生じている部分があると判断した場合、オペレータは、前記部分の有彩色とニュートラルとのコントラスト変化のキー補正を操作部１１を介し操作し、調整し画質の向上をはかることができる。
【０１２１】
また、同様に出力画像の検定において、例えば画像全体に対する色相調整量は適切であるものの、彩度変化（増加）が過多となっているために画質低下が生じている部分があると判断した場合、オペレータは、前記部分の彩度変化のキー補正を操作部１１を介し操作し、彩度変化を調整し画質の向上をはかることができる。
【０１２２】
本実施の形態では、上記画像処理方法に限定されるものではなく、例えば色相、有彩色とニュートラルとのコントラスト、最明度、彩度の調整や、その色領域の指定を容易に行えるようにするために、出力画像上での色相角Ｈ*、彩度Ｃ*、明度Ｌ*を各々複数の範囲に区分する（例えば高／中／低の３段階でもよいし、より細かく区分してもよい）ことで、出力画像上での色再現範囲を複数の部分色領域に予め区画し、オペレータが操作部１１を介し操作し、複数の部分色領域の中から変化をさせるべき色領域を選択し変化量を調整を指定することもできる。
【０１２３】
また、変化の度合いの指定に関しても、複数ステップ（例えば高／中／低）に区分してオペレータが操作部１１を介し、複数ステップの中から所望の抑制度合いに対応するステップを選択することでも指定できるようにすることができる。
【０１２４】
このようにオペレータが上記選択色領域での調整を所望する場合は、情報を入力すると調整用３Ｄ−ＬＵＴ７ｂ２に現在セットしている調整データを読み出し、指定された色領域の出力画像上での変化を、指定された度合いに応じた変換特性となるように、前記読み出した調整データを修正した後にステップＳ２３へ移行するようにすることもできる。
【０１２５】
オペレータが、ＣＲＴ８に表示された出力画像の画質が適正であると判断し、検定結果を表す情報として「検定ＯＫ」を意味する情報を操作部１１を介して入力すると、オペレータによる検定結果が「検定ＯＫ」であると判断し（ステップＳ１６；ＹＥＳ）、確定した処理条件（第１の画像処理部７ａに通知した最新の処理条件）を表す情報を、対象となる画像を識別する画像識別情報（例えば駒番号）と対応させてデータ蓄積手段８０に一時記憶する（ステップＳ２４）。
【０１２６】
次いで、画像検定時にオペレータによって調整が指示されたか否か判定する（ステップＳ２５）。調整が指示されない場合（ステップＳ２５；ＮＯ）、何ら処理を行うことなく画像調整処理を終了する。画像検定時にオペレータによって調整が指示された場合（ステップＳ２５；ＹＥＳ）、記憶された画像データに添付されている出力形式指定情報に基づいて画像を出力する際の出力形式を判断し、出力形式が「プリント出力」か否か判定する（ステップＳ２６）。
【０１２７】
ステップＳ２５で画像を出力する際の出力形式が「プリント出力」の場合には、出力画像上での色再現域が、画像検定時にＣＲＴ８に表示した出力画像上での色再現域と異なっているので、表示した出力画像が出力物上で再現されず、出力した画像に色潰れやその他の画質低下が生ずる可能性がある。
【０１２８】
また、出力媒体が反射か透過か、その濃度レンジ、色域を考えて出力しないと更なる画質向上はできない。一方インクジェットや昇華型プリンタなどの出力デバイス特性の違いもある。これらの画像出力手段としての、出力媒体と出力デバイス間との出力用画像のカラーマネージメントをしてやらないと同様に出力した画像に色潰れやその他の画質低下が生ずる可能性がある。
【０１２９】
このため、出力形式が「プリント出力」である場合（ステップＳ２６；ＹＥＳ）、さらに、画像検定時にオペレータによって出力時のガマット（カラー）マッピングの調整が指示されたか否か判定する（ステップＳ２７）。
【０１３０】
ガマットマッピングの調整が指示されない場合（ステップＳ２７；ＮＯ）、何ら画像処理を行うことなく、先に説明したステップＳ１９〜Ｓ２３と同様に、画像検定時に最終的に確定した調整量を検知し、データ蓄積手段８０に記憶されている「プリント出力」用の調整データのうち、対応する調整量が検知した調整量に一致又は近い調整データをデータ蓄積手段８０から読み出し、必要に応じて補間演算を行うことで、対応する調整量が検知した調整量に一致している調整データを取得する（ステップＳ２８）。
【０１３１】
ガマットマッピングの調整が指示された場合（ステップＳ２７；ＹＥＳ）、記憶された画像データに添付されている出力形式指定情報に基づいて画像を出力する際の出力形式を判断し、出力デバイスや媒体（色域情報等）の特性を検知する（ステップＳ３０）。なおこれは、画像処理を施した出力画像データを、画像出力手段の特性に基づいて出力カラー画像信号に変換することに対応する。
【０１３２】
次いで、指示されたガマットマッピング調整データである出力調整用３Ｄ−ＬＵＴ７ｂ３をデータ蓄積手段８０から取り込み画像変換をする（ステップＳ３１）。ステップＳ３１で複数の調整データを取り込んだ場合には、取り込んだ複数の調整データに基づいて、対応する調整量が指示された調整量に一致する各々の調整データを組み合わせた演算処理を一つにまとめることができる。
【０１３３】
なお、上記のようにガマットマッピング調整データを用いることは、画像データの入力カラー画像信号を画像入力手段の特性に基づいて標準色空間に置ける信号に変換する第１の変換関数と、標準色空間に置ける信号を画像出力手段の特性に基づいて出力カラー画像信号に変換する第２の変換関数と、を含む前記標準色空間の第３の関数として用いることに対応する。
【０１３４】
ここで、表４に、ガマットマッピング調整データの一例を示す。
【０１３５】
【表４】
2005079056.tif 000005
【０１３６】
ここで、本実施の形態のガマットマッピングの一例を説明する。図１２に、ガマットマッピングの比較例（従来例）を示す。図１３に、ガマットマッピングの実施例を示す。図１３に示す本実施の形態のガマットマッピングの一例によれば、ステップＳ１９からＳ２３の色再現処理後の画像データを出力する際に、図１２で使っていない色域へのカラーマッピングを行い出力することで、より重厚感が付与されたアナログ写真同等の重厚感を持ち好ましい出力物を得ることができた。
【０１３７】
さらに好ましくは、画像データの出力形式に置ける色再現範囲に基づき、変換前の画像データの色域より広い色域を用いて彩度変化の飽和が生じない画像処理を行うことが、トーンジャンプや疑似輪郭を防止でき好ましい。
【０１３８】
このように、ステップＳ３１で出力時にプリンタ固有処理以外に、ガマットマッピング等の出力での最適な出力を選ぶように指定されていた場合には出力画像上での調整量が、指定されたカラーマネージメントの調整量になるように調整データを修正する。これにより、出力される画像がＣＲＴ８に表示した画像と同等以上の画質となるようにできる画像調整データが得られる。
【０１３９】
前述のように、加法混色で形成される透過型画像及び／又はモニタで可視画像の画像データと比べ、減法混色で形成する反射型プリントを出力する際の画像データの最明度点を低くしたり、画像出力手段の特性に基づいて出力カラー画像信号に変換したり、画像入力手段のプロファイル及び出力目標のプロファイルを保持し、これら前記入力プロファイル、目標プロファイルに基づき、目標の色再現に近づけるための変換式を作成したり、画像処理を行った後に出力する場合において、画像データの入力カラー画像信号を画像入力手段の特性に基づいて標準色空間に置ける信号に変換する第１の変換関数と、標準色空間に置ける信号を画像出力手段の特性に基づいて出力カラー画像信号に変換する第２の変換関数と、を含む前記標準色空間の第３の関数として用いたり、出力形式に置ける色再現範囲に基づき、彩度変化の飽和が生じないように処理前の画像データの色域より広い色域を用いて画像処理を行うことで、ポートレート写真で撮影したときに肌色の色相のずれが起こりにくく、また期待色も安定に再現し、さらには陰周りの彩度が高くきれいで、立体感を付与して出力でき、さらには、今までのアナログ写真同様の立体感と重厚感も併せ持つ出力画像を得ることが可能な、さらには、透過型のポジフィルム用出力またはＣＲＴ出力用の画像データと、反射型のカラーペーパー等に出力しても問題のない最適な画像データを生成することができる。
【０１４０】
そして、ステップＳ２８若しくはＳ３１又はそれ以前のステップによって確定した高解像度画像データに対する彩度調整データを、先のステップＳ２４でデータ蓄積手段８０に一時記憶した画像識別情報及び処理条件情報と対応させてデータ蓄積手段８０に記憶し（ステップＳ２９）、画像調整処理が終了する。
【０１４１】
なお、画像調整処理が完了した後、指定された所定の出力形式で出力すべき画像の高解像度画像データがフィルムスキャナ部９から取り込まれ、画像処理部７０は、高解像度画像データが表す画像の画像識別情報に基づいて、前記処理条件情報をデータ蓄積手段８０から読み出し、読み出した処理条件情報を画像処理部７０へ出力し、画像調整処理の実行を指示する。
【０１４２】
そして、画像処理部７０、色再現変換部７ｂによる色再現変換処理を経た画像データは、所定の出力形式に対応する出力装置へ出力されるか、又は画像書込部１５等によってＣＤ−Ｒ等に書込まれる。
【０１４３】
以上、画像検定時に色相、有彩色とニュートラルとのコントラスト、最明度、彩度を調整された画像については、色再現変換部７ｂによって調整されたデータ（出力形式が「モニタ表示／ＣＤ−Ｒ書込み」であれば画像検定時に用いた各々の調整データと同一の調整データに基づき、出力形式が「プリント出力」であれば画像検定時に用いた調整データに対応するプリント出力用データ）に基づき、色相、有彩色とニュートラルとのコントラスト、最明度、彩度を調整用３Ｄ−ＬＵＴ７ｂ２，出力調整用３Ｄ−ＬＵＴ７ｂ３によって画像変換処理が行われる。
【０１４４】
従って、ポートレート写真で撮影したときに肌色の色相のずれが起こりにくく、また期待色も安定に再現し、さらには陰周りの彩度が高くきれいで、立体感を付与することができ、さらにはこのように処理した高品質の画像を最適に出力し、写真市場はもちろんながら、映像市場でも、今までのアナログ写真同様の立体感と重厚感も併せ持つ出力画像を得ることが可能な画像データに変換する画像処理装置、画像処理方法、画像処理システムを提供できる。
【０１４５】
また、透過型のポジフィルム用出力又はＣＲＴ出力用の画像データと、反射型のカラーペーパー等に出力しても問題のない最適な画像データを生成することができる効果を得ることができる。
【０１４６】
なお、本実施の形態の画像処理において、ハロゲン化銀塩の媒体出力用の画像データに画像処理することとしてもよい。また、静物の画像データに比べて、人物の画像データの肌色領域での色相再現角の圧縮を大きくすることとしてもよい。
【第２の実施の形態】
【０１４７】
本発明に係る第２の実施の形態を、図１４を参照して説明する。図１４に、本実施の形態のデジタルカメラ１αの内部構成を示す。本実施の形態の撮影装置としてのデジタルカメラ１αは、例えば、特開２００１−２７５１２２号公報に記載されるデジタルカメラに、第１の実施の形態で説明した画像処理機能を有する構成である。
【０１４８】
デジタルカメラ１αは、各部を制御するカメラ用ＣＰＵ１５１と、画像処理用ＣＰＵ１５２とを有している。カメラ用ＣＰＵ１５１は、フォーカルプレーンシャッター１２１と、測光センサ１２７からの情報で焦点位置の検出を行う焦点検出部１５７と、ＷＢ（ホワイトバランス）センサ１２８と、絞り１３２と、ＬＣＤ１２０と、に電気的に接続されている。また、カメラ用ＣＰＵ１５１は、フラッシュ１４１と、調光センサ１４２と、撮像レンズ１３１の位置を変更するレンズモータ１３３と、ＥＥＰＲＯＭなどで構成されるデータ保存部１５３と、撮影条件などを液晶ディスプレイに表示する表示部１５８と、操作部１０６と、に電気的に接続している。この操作部１０６は、シャッターボタン１６１と、ＷＢ選択ボタン１６２と、露出モード選択ボタン１６３と、オートフォーカス選択ボタン１６４と、を有している。そして、カメラ用ＣＰＵ１５１は、これら各部と有機的に結合して、デジタルカメラ１αにおける撮影動作の制御を行う。
【０１４９】
画像処理用ＣＰＵ１５２は、撮像センサ１２２と電気的に接続するとともに、撮像センサ１２２からのアナログ信号をデジタル信号に変換するＡ／Ｄ変換器１５４に接続している。また、画像処理用ＣＰＵ１５２は、撮影画像などを一旦保存する画像メモリ１５５と、画像処理が施された最終的な出力画像をメモリカード１０９に記録するための画像記録部１５６とに電気的に接続している。
【０１５０】
この画像処理用ＣＰＵ１５２は、撮像センサ１２２の駆動制御と出力読み出し、ホワイトバランス補正、Ｙ変換、デジタルフィルタなどの各種画像処理を行う。また、各ＣＰＵ５１，５２は、必要に応じて、互いのデータの交信が行えるようになっている。
【０１５１】
上記第１の実施の形態の色再現変換部７ｂと同等の機能として、色相、有彩色とニュートラルとのコントラスト、最明度、彩度を調整する演算処理部を、本実施の形態の画像処理用ＣＰＵ１５２に搭載し、かつデジタルカメラ１αには、撮影された画像データのホワイトバランスを調整するモード以外に、撮影シーン毎の画像処理を選択できる、ポートレート、静物モード、オート、マニュアル等のモードを撮影前に選択しデータ保存部１５３に記憶しておけるものとする。
【０１５２】
ここで、デジタルカメラ１の撮影動作を簡単に説明する。先ず、撮影前に、ユーザの操作部１０６の操作により、撮像レンズ１３１が軸方向に移動されて、絞り１３２が調整されて、焦点及び絞りが決定される。撮像レンズ１３１を介して入射した画像は、撮像センサ１２２により読み取られてアナログ信号に変換され、そのアナログ信号がＡ／Ｄ変換器１５４によりデジタルの撮像データに変換され、画像処理用ＣＰＵ１５２により画像処理されて画像データにされ、その画像データがＬＣＤ１２０に表示される。撮影前には、操作部１０６の操作により、ホワイトバランスなどの各種調整データが調整される。
【０１５３】
そして、ユーザのシャッターボタン１６１の半押し操作により、焦点などが固定され、シャッターボタン１６１の全押し操作により、フォーカルプレーンシャッター１２１及び撮像センサ１２２及びＡ／Ｄ変換器１５４により撮像された撮像データが、撮影前に調整された調整データに基づいて画像処理用ＣＰＵ１５２により画像処理されて画像データにされ、その画像データが画像メモリ１５５に記憶される。撮影には、フラッシュ１４１が適宜使用される。画像メモリ１５５に記憶された画像データは、操作部１０６の操作により、データ保存部１５３に保存され、また画像記録部１５６によりメモリカード１０９に記憶される。
【０１５４】
ここで、上記の画像処理用ＣＰＵ１５２の画像処理を説明する。画像処理用ＣＰＵ１５２において、撮影前に選択された撮影シーンモードにより以下のように画像処理を選択し、撮像データを色再現変換する。ポートレートモードの時には、画像処理用ＣＰＵ１５２内の色再現変換部が、色相、有彩色とニュートラルとのコントラスト、最明度、彩度を調整する。静物モードのときには、画像処理用ＣＰＵ１５２の上記色再現変換部が、色再現の処理を加えるか判断・指定後に、処理要とされた場合のみに、色相圧縮以外の有彩色とニュートラルとのコントラスト、最明度、彩度を調整する。
【０１５５】
また、これらの調整パラメータは、内部データで編集・アレンジできる、もしくは外部コンピュータで編集しデータ保存部１５３に読み込ませて、画像処理用ＣＰＵ５２に反映することができる機能とする。その結果、ポートレート写真で撮影したときに肌色の色相のずれが起こりにくく、また期待色も安定に再現し、さらには陰周りの彩度が高くきれいで、立体感を付与することができ、さらにはこのように処理した高品質の画像を最適に出力し、写真市場はもちろんながら、映像市場でも、今までのアナログ写真同様の立体感と重厚感も併せ持つ出力画像を得ることが可能な画像データに変換する撮影装置を提供できる。また、静物モードの場合であっても陰周りの彩度が高くきれいで環境変動を受けにくくかつアナログ写真同様の立体感と重厚感を付与することができる。
【第３の実施の形態】
【０１５６】
本発明に係る第３の実施の形態を、図１５及び図１６を参照して説明する。図１５に、本実施の形態の画像処理システム２αの内部構成を示す。本実施の形態の画像処理プログラムとしてのアプリケーションＡＰは、例えば、特開２００３−２９９１１６号公報に記載される画像処理システムで実行されるアプリケーション（プログラム）が、第１の実施の形態で説明した画像処理機能をコンピュータに実現させる構成である。
【０１５７】
図１５に示すように、本実施の形態の画像処理システム２αは、画像データを入力するためのデジタルカメラ２０３、装着部２０４及びスキャナ２０５と、通信ケーブルを介してデータ伝送可能なパーソナルコンピュータ（以下では単に「パソコン」という）２００と、パソコン２００にデータ伝送可能に接続するモニタ２３０及びプリンタ２４０と、パソコン２００に対してユーザが各種選択事項などを入力する操作部２５０と、を備えている。
【０１５８】
パソコン２００は、制御部２１０、記憶部２１５及び入出力Ｉ／Ｆ２２１を備えている。入出力Ｉ／Ｆ２２１は、デジタルカメラ２０３、装着部２０４、スキャナ２０５、モニタ２３０、プリンタ２４０及び操作部２５０と、データ伝送するためのインターフェイスであり、制御部２１０との間でデータの送受信を行う。
【０１５９】
記憶部２１５は、例えばハードディスク等で構成されており、後述するアプリケーションＡＰ等を格納している。制御部２１０は、ＣＰＵ２１０ａとメモリ２１０ｂとを有し、パソコン２００の各部を統括制御する部位である。そして、この制御部２１０のメモリ２１０ｂに、記憶部２１５に記憶されるアプリケーション（プログラム）ＡＰをロードして、ＣＰＵ２１０ａで実行することにより画像処理(後述)を行うことができ、制御部２１０は、"画像処理装置"として働く。
【０１６０】
デジタルカメラ２０３は、一般的なデジタルカメラであり、装着部２０４は、記憶メディア２０４ａが装着可能で、記憶メディア２０４ａに記憶される画像データ等を入出力Ｉ／Ｆ２２１に送信する。スキャナ２０５は、一般的なフィルムスキャナであり、銀塩カメラによる撮影によって色素の濃度が記録されたカラーフィルム等をセットして、画像データを取得し、入出力Ｉ／Ｆ２２１に送信する。
【０１６１】
モニタ２３０は、例えばＣＲＴで構成され、制御部２１０で生成される出力画像データに基づいた画像を表示できる。プリンタ２４０は、制御部２１０で生成される出力画像データに基づいた画像を印刷する。操作部２５０は、キーボードやマウス等から構成され、ユーザーの各種操作にしたがって各種電気信号を入出力Ｉ／Ｆ２２１に送信する。
【０１６２】
画像処理用ＣＰＵ２１０ａは、第１の実施の形態の色再現変換部７ｂと同等の機能として、色相、有彩色とニュートラルとのコントラスト、最明度、彩度を調整する演算処理部を搭載する。
【０１６３】
次いで、図１６を参照して、画像処理システム２αの制御部２１０におけるアプリケーションＡＰにしたがった画像処理の動作について説明する。図１６に、画像処理を示す。この動作は、記憶部２１５に記憶されるアプリケーションＡＰが制御部２１０内のメモリ２１０ｂに読み込まれて、起動されることによって実行される。なお、ここでは、アプリケーションＡＰの起動前には、デジタルカメラ２０３、記憶メディア２０４ａ及びスキャナ２０５のうち少なくとも１の機器から画像データが入出力Ｉ／Ｆ２２１に入力可能な状態となっているものとする。
【０１６４】
ここでは、アプリケーションＡＰを起動させた後に、ユーザーによる操作部２５０の操作に基づいて入力画像データＩＤがパソコン２００に接続されているデジタルカメラ２０３、記憶メディア２０４ａ、スキャナ２０５のうちいずれか１つの機器から入出力Ｉ／Ｆ２２１を介して制御部２１０に入力される。すると、モニタ２３０に画像処理等の条件を表示し、ユーザによる操作部２５０の種々の操作に基づいて、画像処理等の条件を設定し、その条件をメモリ２１０ｂに記憶する（ステップＳ４１）。設定する条件は、取得機器及びカラーマッチング等や、第２の実施の形態において説明した、ポートレートモード、静物モード、オート、マニュアル等のモードの設定情報等である。
【０１６５】
そして、入力画像データＩＤを読み込み（ステップＳ４２）、読み込んだ入力画像データＩＤに係る画像ファイル形式の判別を行う（ステップＳ４３）。入力画像データＩＤのファイル形式がＪＰＥＧ（Ｅｘｉｆ）形式である場合（ステップＳ４３；ＪＰＥＧ）、入力画像データＩＤのファイル形式がＪＰＥＧ形式であることをメモリ２１０ｂに記憶する（ステップＳ４４）。ステップＳ４５，Ｓ４６でも同様にして、それぞれ、入力画像データＩＤのファイル形式がＴＩＦＦ形式又はＲＡＷ形式であることをメモリ２１０ｂに記憶する。
【０１６６】
そして、入力画像ファイル形式にしたがって、画像ファイルのヘッダ情報を取得してメモリ２１０ｂに記憶する（ステップＳ４７）。そして、入力画像ファイル形式がＲＡＷ形式以外の場合に、ステップＳ４２において読み取った入力画像データを展開（伸張）する（ステップＳ４８）。そして、ステップＳ４１において入力された設定条件、又は入力画像データＩＤ内のヘッダ情報（又は、そのヘッダ情報に対応する、メモリ２１０ｂに記憶されたプロファイル情報）に基づいて、カラーマッチング処理を行うか否かの判別を行う（ステップＳ４９）。カラーマッチング処理を行う場合（ステップＳ４９；ＹＥＳ）、ステップＳ４１において入力された設定条件に基づいて、入力画像データＩＤを取得した機器の判別を行う（ステップＳ５０）。
【０１６７】
そして、ステップＳ５０における判別結果に基づいて、入力画像データＩＤの取得機器がデジタルカメラであるか否かについて判別を行う（ステップＳ５１）。入力画像データＩＤの取得機器がデジタルカメラである場合（ステップＳ５１；ＹＥＳ）、入力画像データＩＤに係る画像データをＲＧＢ表色系の画像データからＸＹＺ表色系の画像データへの変換を行う（ステップＳ５２）。そして、ステップＳ５２において変換されたＸＹＺ表色系の画像データに第１の実施の形態で説明した色再現変換処理（画像処理）を施す（ステップＳ５３）。ステップＳ５３において、例えば、ポートレートモードの時には、制御部２１０の色再現変換部として、色相、有彩色とニュートラルとのコントラスト、最明度、彩度を調整する。静物モードのときには、色再現の処理を加えるか判断・指定後に、処理要とされた場合のみに、色相圧縮以外の有彩色とニュートラルとのコントラスト、最明度、彩度を調整する。
【０１６８】
そして、ステップＳ５３において色再現変換処理が施されたＸＹＺ表色系の画像データに対して、階調特性変換（階調変換）の処理を行う（ステップＳ５４）。この階調特性変換によりＸＹＺ表色系の画像データ（Ｘ'Ｙ'Ｚ'）に変換される。そして、ＸＹＺ表色系の画像データ（Ｘ'Ｙ'Ｚ'）から画像出力手段に応じたＲＧＢ表色系の画像データ（Ｒ'Ｇ'Ｂ'）への変換が行われる（ステップＳ５５）。
【０１６９】
入力画像データＩＤの取得機器がデジタルカメラでないと判別された場合（ステップＳ５１；ＮＯ）、ステップＳ５２と同様に、入力画像データＩＤに係る画像データをＲＧＢ表色系の画像データからＸＹＺ表色系の画像データへ変換を行う（ステップＳ５７）。そして、ステップＳ５５と同様に、ＸＹＺ表色系の画像データ（ＸＹＺ）から画像出力手段に応じたＲＧＢ表色系の画像データ（Ｒ"Ｇ"Ｂ"）への変換が行われる（ステップＳ５８）。そして、画像処理され又はされてない入力画像データが、出力画像データとしてメモリ２１０ｂに記憶され（ステップＳ５６）、画像処理が終了される。
【０１７０】
本実施の形態によれば、ポートレート写真で撮影したときに肌色の色相のずれが起こりにくく、また期待色も安定に再現し、さらには陰周りの彩度が高くきれいで、立体感を付与することができ、さらにはこのように処理した高品質の画像を最適に出力し、写真市場はもちろんながら、映像市場でも、今までのアナログ写真同様の立体感と重厚感も併せ持つ出力画像を得ることが可能な画像データに変換するアプリケーションプログラムを提供できた。また、静物モードの場合であっても陰周りの彩度が高くきれいで環境変動を受けにくくかつアナログ写真同様の立体感と重厚感を付与することができた。
【０１７１】
また、これらの調整パラメータは、アプリケーションＡＰの制御部２１０で編集・アレンジできるようにして、画像処理用ＣＰＵ５２として機能する構成にしても良い。
【０１７２】
なお、上記各実施の形態における記述は、本発明に係る好適な画像処理装置、画像処理システム、撮影装置、画像処理方法及びプログラムの一例であり、これに限定されるものではない。上記各実施の形態における画像処理装置、画像処理システム、撮影装置、画像処理方法及びプログラムの各構成要素の細部構成、及び細部動作に関しては、本発明の趣旨を逸脱することのない範囲で適宜変更可能であることは勿論である。
【産業上の利用可能性】
【０１７３】
本発明によれば、画像データの肌色領域の範囲を圧縮することで、環境光での色相変化を抑制することができ、可視画像の色相が変化することに伴う部分的な画質低下を効果的に抑制することができ、画像データを適切な色再現にすることができる。例えば、ポートレート写真で撮影した画像データに肌色の色相のずれが起こりにくく、また期待色も安定に再現できる。【０１７４】
また、画像処理後で有彩色のコントラストを硬調にし、ニュートラルのコントラストを軟調にすることで、ポートレートに好ましい錯視による立体感をえて画質向上を図り、画像データを適切な色再現にすることができる。【０１７５】
また、加法混色で形成される透過型フィルム及び／又はモニタ用の可視の画像データに比べて、減法混色で形成する反射型プリント用の画像データの最明度を低くすることで、加法混色で形成される透過型フィルム及び／又はモニタ用の可視の画像データと、減法混色で形成する反射型プリント用の画像データとを対応させてかつ適切な色再現性にすることができる。
【図１】
2005079056.tif 000006
【図２】
2005079056.tif 000007
【図３】
2005079056.tif 000008
【図４】
2005079056.tif 000009
【図５】
2005079056.tif 000010
【図６】
2005079056.tif 000011
【図７】
2005079056.tif 000012
【図８】
2005079056.tif 000013
【図９】
2005079056.tif 000014
【図１０】
2005079056.tif 000015
【図１１】
2005079056.tif 000016
【図１２】
2005079056.tif 000017
【図１３】
2005079056.tif 000018
【図１４】
2005079056.tif 000019
【図１５】
2005079056.tif 000020
【図１６】
2005079056.tif 000021
【国際調査報告】
2005079056.tif 000022
2005079056.tif 000023
2005079056.tif 000024
2005079056.tif 000025
2005079056.tif 000026
2005079056.tif 000027
2005079056.tif 000028